(57)【要約】      （修正有）【課題】信頼性を低下させないと共に、通信の遅延を減少する通信方法、端末デバイス及びネットワークデバイスを提供する。【解決手段】通信方法において、アップリンクデータの第１伝送バージョンを生成するために用いられる第１データ伝送フォーマットを確定し、データリソースプールから第１伝送バージョンを伝送するために用いられる第１データ伝送リソースを選定し、ネットワークデバイスに第１データ伝送リソースの情報と前記第１データ伝送フォーマットの情報とを含む第１スケジューリング構成メッセージを送信し、第１データ伝送フォーマットに基づいて、アップリンクデータに対して符号化し、符号化されたアップリンクデータに対して変調を行って、第１伝送バージョンを生成し、第１データ伝送リソースによって、ネットワークデバイスに前記第１伝送バージョンを送信する。【選択図】図２
2020167683.tif 000002
【特許請求の範囲】
【請求項１】
通信方法であって、
第１データ伝送フォーマットを確定することであって、前記第１データ伝送フォーマットが、アップリンクデータの第１伝送バージョンを生成するために用いられる、ことと、
データリソースプールから第１データ伝送リソースを選定することであって、前記第１データ伝送リソースが、前記第１伝送バージョンを伝送するために用いられる、ことと、
ネットワークデバイスに第１スケジューリング構成メッセージを送信することであって、前記第１スケジューリング構成メッセージが、前記第１データ伝送リソースの情報と前記第１データ伝送フォーマットの情報とを含むことと、
前記第１データ伝送フォーマットに基づいて、アップリンクデータに対して符号化し、前記符号化されたアップリンクデータに対して変調を行って、第１伝送バージョンを生成することと、
前記第１データ伝送リソースによって、前記ネットワークデバイスに前記第１伝送バージョンを送信することと、を含む、
ことを特徴とする前記通信方法。
【請求項２】
前記第１データ伝送リソースによって、前記ネットワークデバイスに前記第１伝送バージョンを送信することは、
ネットワークデバイスが、前記アップリンクデータの前記第１伝送バージョンに対して復調してから、前記第１データ伝送フォーマットに基づいて、復調された前記アップリンクデータの前記第１伝送バージョンに対して復号するために用いられる、
ことを特徴とする請求項１に記載の通信方法。
【請求項３】
ネットワークデバイスに第１スケジューリング構成メッセージを送信することは、
ネットワークデバイスにより前記第１スケジューリング構成メッセージのために設定された伝送リソースを利用し、前記ネットワークデバイスに前記第１スケジューリング構成メッセージを送信すること、又は
制御リソースプールから制御伝送リソースを選択し、前記制御伝送リソースによって、前記ネットワークデバイスに前記第１スケジューリング構成メッセージを送信すること、
を含む、
ことを特徴とする請求項１に記載の通信方法。
【請求項４】
前記通信方法は、
データリソースプールから第１データ伝送リソースを選定する前に、
前記ネットワークデバイスより送信されたリソースプール構成情報を受信することをさらに含み、
前記リソースプール情報が、データリソースプールの構成情報と制御リソースプールの構成情報とを含み、ここで、前記データリソースプールが、前記第１伝送バージョンを伝送するための選択可能なアップリンクリソースを含み、前記制御リソースプールが、前記スケジューリング構成メッセージを伝送するための選択可能なアップリンクリソースを含む、
ことを特徴とする請求項３に記載の通信方法。
【請求項５】
前記通信方法は、
前記アップリンクデータの送信バージョンを正常に復号することを示すためのＡＣＫメッセージを取得することと、
前記アップリンクデータの送信バージョンの復号が失敗したことを示すためのＮＡＣＫメッセージを取得することと、をさらに含む、
ことを特徴とする請求項１に記載の通信方法。
【請求項６】
前記データ伝送フォーマットが、符号化バージョンを含む、
ことを特徴とする請求項１に記載の通信方法。
【請求項７】
通信方法であって、
端末デバイスより送信されたスケジューリング構成メッセージを受信することであって、前記スケジューリング構成メッセージが、前記端末デバイスより送信されたアップリンクデータの第１伝送バージョンに対応する第１データ伝送フォーマットと第１データ伝送リソースとを指示するために用いられることと、
端末デバイスより前記第１データ伝送フォーマットによって送信された前記アップリンクデータの第１伝送バージョンを受信することと、
前記第１データ伝送フォーマットと前記第１データ伝送リソースとによって、前記アップリンクデータの第１伝送バージョンに対して復調し、復調された前記アップリンクデータの第１伝送バージョンに対して復号することと、を含む、
ことを特徴とする前記通信方法。
【請求項８】
端末デバイスより送信されたスケジューリング構成メッセージを受信する前に、前記通信方法は、
前記端末デバイスのためにデータリソースプールを設定することと、
前記端末デバイスのために制御リソースプールを設定することと、
をさらに含み、
前記データリソースプールが、前記第１伝送バージョンを伝送するための前記端末デバイスが選択可能なアップリンクリソースを含み、前記制御リソースプールが、前記スケジューリング構成メッセージを伝送するための前記端末デバイスが選択可能なアップリンクリソース、又は前記端末デバイスのために設定された、前記スケジューリング構成メッセージを伝送するためのアップリンクリソースを含む、
ことを特徴とする請求項７に記載の通信方法。
【請求項９】
前記通信方法は、
ＡＣＫメッセージを送信し、前記アップリンクデータの伝送バージョンに対する復調、復号が成功したことを示すことをさらに含む、
をさらに含む、
ことを特徴とする請求項７に記載の通信方法。
【請求項１０】
前記通信方法は、
ＮＡＣＫメッセージを送信し、前記アップリンクデータの伝送バージョンに対する復調、復号に失敗したことを示すことをさらに含む、
ことを特徴とする請求項７に記載の通信方法。
【請求項１１】
前記データ伝送フォーマットが、符号化バージョンを含む、
ことを特徴とする請求項８に記載の通信方法。
【請求項１２】
端末デバイスであって、
プロセッサ、送受信装置、及び記憶装置を含み、
前記記憶装置が命令を記憶するように構成され、前記プロセッサが、前記記憶装置に記憶される命令を呼び出し、
第１データ伝送フォーマットを確定することであって、前記第１データ伝送フォーマットが、アップリンクデータの第１伝送バージョンを生成するために用いられる、ことと、
データリソースプールから第１データ伝送リソースを選定することであって、前記第１データ伝送リソースが、前記第１伝送バージョンを伝送するために用いられる、ことと、
前記送受信装置によって、ネットワークデバイスに第１スケジューリング構成メッセージを送信することであって、前記第１スケジューリング構成メッセージが、前記第１データ伝送リソースの情報と前記第１データ伝送フォーマットの情報とを含むことと、
前記第１データ伝送フォーマットに基づいて、アップリンクデータに対して符号化し、前記符号化されたアップリンクデータに対して変調を行って、第１伝送バージョンを生成することと、
前記送受信装置によって、前記第１データ伝送リソースによって、前記ネットワークデバイスに前記第１伝送バージョンを送信することと、という操作を実行するように構成される、
ことを特徴とする前記端末デバイス。
【請求項１３】
前記送受信装置によって、前記第１データ伝送リソースによって、前記ネットワークデバイスに前記第１伝送バージョンを送信することは、
ネットワークデバイスが、前記アップリンクデータの前記第１伝送バージョンに対して復調してから、前記第１データ伝送フォーマットに基づいて、復調された前記アップリンクデータの前記第１伝送バージョンに対して復号するために用いられる、
ことを特徴とする請求項１２に記載の端末デバイス。
【請求項１４】
前記送受信装置によって、ネットワークデバイスに第１スケジューリング構成メッセージを送信することは、
ネットワークデバイスにより前記第１スケジューリング構成メッセージのために設定された伝送リソースを利用し、前記ネットワークデバイスに前記第１スケジューリング構成メッセージを送信すること、又は
制御リソースプールから制御伝送リソースを選択し、前記制御伝送リソースによって、前記ネットワークデバイスに前記第１スケジューリング構成メッセージを送信すること、を含む、
ことを特徴とする請求項１２に記載の端末デバイス。
【請求項１５】
データリソースプールから第１データ伝送リソースを選定する前に、前記操作は、
前記ネットワークデバイスより送信されたリソースプール構成情報を受信することをさらに含み、
前記リソースプール情報が、データリソースプールの構成情報と制御リソースプールの構成情報とを含み、ここで、前記データリソースプールが、前記第１伝送バージョンを伝送するための選択可能なアップリンクリソースを含み、前記制御リソースプールが、前記スケジューリング構成メッセージを伝送するための選択可能なアップリンクリソースを含む、
ことを特徴とする請求項１４に記載の端末デバイス。
【請求項１６】
前記操作は、
前記アップリンクデータの送信バージョンを正常に復号することを示すためのＡＣＫメッセージを取得することと、
前記アップリンクデータの送信バージョンの復号が失敗したことを示すためのＮＡＣＫメッセージを取得することと、をさらに含む、
ことを特徴とする請求項１２に記載の端末デバイス。
【請求項１７】
前記データ伝送フォーマットが、符号化バージョンを含む、
ことを特徴とする請求項１２に記載の端末デバイス。
【請求項１８】
ネットワークデバイスであって、
プロセッサ、送受信装置、及び記憶装置を含み、
前記記憶装置が命令を記憶するように構成され、前記プロセッサが、前記記憶装置に記憶される命令を呼び出し、
前記送受信装置によって、端末デバイスより送信されたスケジューリング構成メッセージを受信することであって、前記スケジューリング構成メッセージが、前記端末デバイスより送信されたアップリンクデータの第１伝送バージョンに対応する第１データ伝送フォーマットと第１データ伝送リソースとを指示するために用いられることと、
前記送受信装置によって、端末デバイスより前記第１データ伝送フォーマットによって送信された前記アップリンクデータの第１伝送バージョンを受信することと、
前記第１データ伝送フォーマットと前記第１データ伝送リソースとによって、前記アップリンクデータの第１伝送バージョンに対して復調し、復調された前記アップリンクデータの第１伝送バージョンに対して復号することと、という操作を実行するように構成される、
ことを特徴とする前記ネットワークデバイス。
【請求項１９】
端末デバイスより送信されたスケジューリング構成メッセージを受信する前に、前記操作は、
前記端末デバイスのためにデータリソースプールを設定することと、
前記端末デバイスのために制御リソースプールを設定することと、
をさらに含み、
前記データリソースプールが、前記第１伝送バージョンを伝送するための前記端末デバイスが選択可能なアップリンクリソースを含み、前記制御リソースプールが、前記スケジューリング構成メッセージを伝送するための前記端末デバイスが選択可能なアップリンクリソース、又は前記端末デバイスのために設定された、前記スケジューリング構成メッセージを伝送するためのアップリンクリソースを含む、
ことを特徴とする請求項１８に記載のネットワークデバイス。
【請求項２０】
前記操作は、
前記送受信装置によって、ＡＣＫメッセージを送信し、前記アップリンクデータの伝送バージョンに対する復調、復号が成功したことを示すことをさらに含む、
ことを特徴とする請求項１８に記載のネットワークデバイス。
【請求項２１】
前記操作は、
前記送受信装置によって、ＮＡＣＫメッセージを送信し、前記アップリンクデータの伝送バージョンに対する復調、復号に失敗したことを示すことをさらに含む、
ことを特徴とする請求項１８に記載のネットワークデバイス。
【請求項２２】
前記データ伝送フォーマットが、符号化バージョンを含む、
ことを特徴とする請求項１９に記載のネットワークデバイス。
【発明の詳細な説明】
【技術分野】
【０００１】
本発明は、通信分野に関し、特に、通信方法、端末デバイス及びネットワークデバイスに関する。
【背景技術】
【０００２】
第５世代通信（５Ｇ）技術において、通信の低遅延と高信頼性に対する要求は、ますます高くなる。現在、遅延を下げるために、伝送遅延間隔（ＴＴＩ：Ｔｒａｎｓｍｉｓｓｉｏｎ  Ｔｉｍｅ  Ｉｎｔｅｒｖａｌ）短縮（Ｓｈｏｒｔｅｎｅｄ  ＴＴＩ）技術を主に採用し、即ち、現行のフレーム構造に対して修正を行い、サブフレーム間隔を縮小することによって、シグナリングのフィードバックとスケジューリングの周期を加速させ、システムのループバック遅延を短縮し、データの送受信のリズムを加速させる。現行のＬＴＥシステムにおけるサブフレーム間隔は、１ｍｓ（１４個の直交周波数分割多重化（ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルを含む）であり、Ｓｈｏｒｔｅｎｅｄ  ＴＴＩ技術において、サブフレームを０．２−０．５ｍｓ（３−７個のＯＦＤＭシンボルを含む）まで短縮しようとしている。Ｓｈｏｒｔｅｎｅｄ  ＴＴＩを採用してサブフレーム間隔を１ｍｓから０．２−０．５ｍｓに短縮しても、上記のスケジューリング周期を２−４ｍｓ前後に短縮しただけで、遅延が依然として長い。
【０００３】
そのため、通信の信頼性を低下させないと共に、通信の遅延を減少するのは、早急な解決の待たれる課題である。
【発明の概要】
【０００４】
本発明の実施例は、通信方法、端末デバイス、及びネットワークデバイスを提供し、通信の信頼性を低下させないと共に、通信の遅延を減少することができる。
【０００５】
第１態様において、通信方法を提供し、
第１データ伝送フォーマットを確定することと、
データリソースプールから第１データ伝送リソースを選定することと、
ネットワークデバイスに第１スケジューリング構成メッセージを送信することと、
第１データ伝送フォーマットに基づいて、前記アップリンクデータに対して符号化変調を行って、前記第１伝送バージョンを生成することと、
前記ネットワークデバイスが前記第１スケジューリング構成メッセージに基づいて、前記第１伝送バージョンを受信して復調、復号することができるように、前記第１データ伝送リソースによって、ネットワークデバイスに前記第１伝送バージョンを送信することと、
を含み、前記第１データ伝送フォーマットが、アップリンクデータの第１伝送バージョンを生成するために用いられ、前記第１データ伝送リソースが、前記第１伝送バージョンを伝送するために用いられ、前記第１スケジューリング構成メッセージが、前記第１データ伝送リソースの情報と前記第１データ伝送フォーマットの情報とを含む。
【０００６】
第１態様を結合し、第１態様の第１種類の可能な実現形態において、前記方法は、
前記ネットワークデバイスにアップリンクリソーススケジューリング要求を送信することと、
前記ネットワークデバイスより送信されたアップリンクリソース割り当て応答を受信した場合、前記アップリンクリソース割り当て応答に指示された第２データ伝送フォーマットと第２データ伝送リソースとに基づいて、前記アップリンクデータの第２伝送バージョンを生成して送信することと、
をさらに含み、前記アップリンクリソーススケジューリング要求が、前記アップリンクデータのためにアップリンクリソースを割り当てるように前記ネットワークデバイスに要求するために用いられ、ここで、前記リソーススケジューリング要求が前記第１伝送バージョンと関連する関係の情報を含み、又は、前記スケジューリング構成メッセージが、前記アップリンクデータのためにアップリンクリソースを割り当てるように前記ネットワークデバイスに要求するために用いられ、前記スケジューリング構成メッセージが、前記第１伝送バージョンと関連する関係の情報を含む。
【０００７】
第１態様又は第１態様の第１種類の可能な実現形態を結合し、第１態様の第２種類の可能な実現形態において、前記方法は、
前記ネットワークデバイスが前記アップリンクデータの第１伝送バージョンに対して送信された否定確認ＮＡＣＫメッセージを受信した場合、第３データ伝送フォーマットを確定し、前記データリソースプールから第３データ伝送リソースを選定することと、
前記ネットワークデバイスに第２スケジューリング構成メッセージを送信することと、
前記第３データ伝送フォーマットに基づいて、前記アップリンクデータに対して符号化変調を行って、前記第３伝送バージョンを生成することと、
前記ネットワークデバイスが前記第２スケジューリング構成メッセージに基づいて、前記第３伝送バージョンを受信して、復調、復号することができるように、前記第３データ伝送リソースによって、前記ネットワークデバイスに前記第３伝送バージョンを送信することと、
を含み、前記第３データ伝送フォーマットが前記アップリンクデータの第３伝送バージョンを生成するために用いられ、前記第３データ伝送リソースが前記第３伝送バージョンを伝送するために用いられ、前記第２スケジューリング構成メッセージが、前記第３データ伝送リソースの情報と前記第３データ伝送フォーマットの情報とを含む。
【０００８】
第１態様又はそれのいずれか一つの可能な実現形態を結合し、第１態様の第３種類の可能な実現形態において、第１データ伝送フォーマットを確定することは、Ｎ個の前記第１伝送バージョン内の各バージョンを生成するために使用される前記第１データ伝送フォーマットを確立することを含み、前記Ｎが２以上の整数であり、
データリソースプールから第１データ伝送リソースを確定することは、前記データリソースプールからＮ個分の前記第１データ伝送リソースを確定することを含み、Ｎ個分の前記第１データ伝送リソースのうちの各個分の伝送リソースが、Ｎ個の前記第１伝送バージョン内の対応する伝送バージョンを転送するために用いられ、Ｎ個分の前記第１データ伝送リソースとＮ個の前記第１伝送バージョンとは一対一に対応し、
ネットワークデバイスに第１スケジューリング構成メッセージを送信することは、ネットワークデバイスに前記第１スケジューリング構成情報を送信することを含み、前記第１スケジューリング構成メッセージが、Ｎ個の前記第１伝送バージョン内の各バージョンに対応する前記第１データ伝送リソースと前記第１データ伝送フォーマットとを含み、
前記第１伝送バージョンを生成することは、各バージョンを生成するために使用される前記第１データ伝送フォーマットに基づいて、各前記第１伝送バージョンを生成することを含み、
ネットワークデバイスに前記第１伝送バージョンを送信することは、Ｎ個分の前記第１データ伝送リソースによって、前記アップリンクデータのＮ個の第１伝送バージョンに対応するバージョンをそれぞれ送信することを含む。
【０００９】
第１態様の第３種類の可能な実現形態を結合し、第１態様の第４種類の可能な実現形態において、ネットワークデバイスに第１スケジューリング構成メッセージを送信することは、ネットワークデバイスにＮ個の前記第１スケジューリング構成メッセージを送信することを含み、ここで、Ｎ個の前記第１スケジューリング構成メッセージとＮ個の前記第１伝送バージョンとは一対一に対応し、各前記第１スケジューリング構成メッセージが、対応する前記第１伝送バージョンの前記第１データ伝送フォーマットと前記第１データ伝送リソースとを指示するために用いられ、又は、
ネットワークデバイスに前記第１スケジューリング構成メッセージを送信することは、ネットワークデバイスに一つの第１スケジューリング構成メッセージを送信することを含み、ここで、前記一つの前記第１スケジューリング構成メッセージが、Ｎ個の前記第１伝送バージョンの第１データ伝送フォーマットと第１データ伝送リソースとを指示するために用いられる。
【００１０】
第１態様又はそれのいずれか一つの可能な実現形態を結合し、第１態様の第５種類の可能な実現形態において、ネットワークデバイスに第１スケジューリング構成メッセージを送信することは、
ネットワークデバイスにより前記第１スケジューリング構成メッセージのために設定された伝送リソースを利用し、前記ネットワークデバイスに前記第１スケジューリング構成メッセージを送信すること、又は
制御リソースプールから制御伝送リソースを選択し、前記制御伝送リソースによって、前記ネットワークデバイスに前記第１スケジューリング構成メッセージを送信すること、
を含む。
【００１１】
第１態様の第５種類の可能な実現形態を結合し、第１態様の第６種類の可能な実現形態において、データリソースプールから第１データ伝送リソースを選定する前に、前記方法は、
前記ネットワークデバイスより送信されたリソースプール構成情報を受信することをさらに含み、前記リソースプール情報が、データリソースプールの構成情報と制御リソースプールの構成情報とを含み、ここで、前記データリソースプールが、前記第１伝送バージョンを伝送するための選択可能なアップリンクリソースを含み、また前記制御リソースプールが、前記スケジューリング構成メッセージを伝送するための選択可能なアップリンクリソースを含む。
【００１２】
第２態様において、通信方法を提供し、
端末デバイスより送信されたスケジューリング構成メッセージを受信することと、
前記第１データ伝送フォーマットと前記第１データ伝送リソースとに基づいて、前記アップリンクデータの前記第１伝送バージョンを受信して復調、復号することと、
を含み、前記スケジューリング構成メッセージが、前記端末デバイスより送信されたアップリンクデータの第１伝送バージョンに対応する第１データ伝送フォーマットと第１データ伝送リソースとを指示するために用いられる。
【００１３】
第２態様を結合し、第２態様の第１種類の可能な実現形態において、端末デバイスより送信されたスケジューリング構成メッセージを受信する前に、前記方法は、
前記端末デバイスのためにデータリソースプールを設定することと、
前記端末デバイスのために制御リソースプールを設定することと、
をさらに含み、前記データリソースプールが、前記第１伝送バージョンを伝送するための前記端末デバイスが選択可能なアップリンクリソースを含み、前記制御リソースプールが、前記スケジューリング構成メッセージを伝送するための前記端末デバイスが選択可能なアップリンクリソース、又は、前記端末デバイスのために設定された、前記スケジューリング構成メッセージを伝送するためのアップリンクリソースを含む。
【００１４】
第２態様又はそれの第１種類の可能な実現形態を結合し、第２態様の第２種類の可能な実現形態において、前記方法は、
前記端末デバイスより送信されたアップリンクリソーススケジューリング要求を受信することと、
前記第１伝送バージョンが受信されていない場合、又は前記第１伝送バージョンに対する復調又は復号に失敗した場合、前記アップリンクデータのために第２データ伝送リソースを割り当て、第２データ伝送フォーマットを確定することと、
前記端末デバイスにアップリンクリソース割り当て応答を送信することと、
をさらに含み、
前記アップリンクリソーススケジューリング要求が、前記アップリンクデータのためにアップリンクリソースを割り当てるように前記ネットワークデバイスに要求するために用いられ、ここで、前記リソーススケジューリング要求が前記第１伝送バージョンと関連する関係の情報を含み、又は、前記スケジューリング構成メッセージが、前記アップリンクデータのためにアップリンクリソースを割り当てるように前記ネットワークデバイスに要求するようにさらに用いられ、前記スケジューリング構成メッセージが、前記第１伝送バージョンと関連する関係の情報を含み、
ここで、前記端末デバイスが、前記第２データ伝送リソースと前記第２データ伝送フォーマットとに基づいて、前記端末デバイスの第２伝送バージョンを生成することができるように、前記アップリンクリソース割り当て応答が、前記第２データ伝送リソースと前記第２データ伝送フォーマットとを指示するために用いられる。
【００１５】
第２態様の第２種類の可能な実現形態を結合し、第２態様の第３種類の可能な実現形態において、前記方法は、
前記アップリンクデータの前記第１伝送バージョンに対する復号が成功した場合、前記端末デバイスに肯定確認ＡＣＫメッセージを送信し、前記アップリンクリソーススケジューリング要求を無視すること、
をさらに含む。
【００１６】
第２態様又はそれのいずれか一つの可能な実現形態を結合し、第２態様の第４種類の可能な実現形態において、前記方法は、
前記第１伝送バージョンが受信されていない場合、又は前記第１伝送バージョンに対する復調又は復号に失敗した場合、端末デバイスに否定確認ＮＡＣＫ情報を送信することをさらに含む。
【００１７】
第２態様又はそれのいずれか一つの可能な実現形態を結合し、第２態様の第５種類の可能な実現形態において、前記第１スケジューリング構成メッセージが、前記端末デバイスより送信されたアップリンクデータのＮ個の第１伝送バージョン内の各バージョンに対応する前記第１データ伝送フォーマットと前記第１データ伝送リソースとを指示するために用いられ、前記Ｎが２以上の整数であり、
前記第１伝送バージョンを受信して復調、復号することは、Ｎ個の第１伝送バージョン内の各バージョンに対応する前記第１データ伝送フォーマットと前記第１データ伝送リソースとに基づいて、Ｎ個の前記第１伝送バージョンを受信して復調、復号することを含む。
【００１８】
第２態様の第５種類の可能な実現形態を結合し、第２態様の第６種類の可能な実現形態において、各前記第１伝送バージョンに対して個別に復号を行い、又は、Ｎ個の前記第１伝送バージョンに対して一括して復号を行う。
【００１９】
第２態様の第６種類の可能な実現形態を結合し、第２態様の第７種類の可能な実現形態において、前記方法は、
各前記第１伝送バージョンに対して個別に復号を行い、且つＮ個の前記第１伝送バージョンに、成功裏に復号された伝送バージョンが存在する場合、前記端末デバイスに肯定確認ＡＣＫメッセージを送信することと、
各前記第１伝送バージョンに対して個別に復号を行い、且つＮ個の前記第１伝送バージョンがいずれも成功裏に復号していない場合、前記端末デバイスに、否定確認ＮＡＣＫメッセージ又はアップリンクリソース割り当てメッセージを送信することと、
をさらに含み、
前記端末デバイスが、復号の失敗した前記第１伝送バージョンを把握することができるように、前記ＮＡＣＫメッセージが、復号の失敗した第１伝送バージョンの情報を含み、
前記端末デバイスが、前記第２データ伝送リソースと前記第２データ伝送フォーマットとに基づいて、前記端末デバイスの第２伝送バージョンを生成することができるように、前記アップリンクリソース割り当てメッセージが、前記端末デバイスのために確定した第２データ伝送リソースと第２データ伝送フォーマットとを指示するために用いられる。
【００２０】
第２態様の第６種類の可能な実現形態を結合し、第２態様の第８種類の可能な実現形態において、前記方法は、
Ｎ個の前記第１符号化バージョンに対して一括に復号を行い、且つ前記一括的な復号が成功した場合、前記端末デバイスに肯定確認ＡＣＫメッセージを送信すること、又は
Ｎ個の前記第１符号化バージョンに対して一括に復号を行い、且つ前記一括的な復号に失敗した場合、前記端末デバイスにＮＡＣＫメッセージ又はアップリンクリソース割り当てメッセージを送信すること、
をさらに含み、
前記端末デバイスが、復号の失敗した前記第１伝送バージョンを把握することができるように、前記ＮＡＣＫメッセージが、復号の失敗した第１伝送バージョンの情報を含み、
前記端末デバイスが、前記第２データ伝送リソースと前記第２データ伝送フォーマットとに基づいて、前記端末デバイスの第２伝送バージョンを生成することができるように、前記アップリンクリソース割り当てメッセージが、前記端末デバイスのために確定した第２データ伝送リソースと第２データ伝送フォーマットとを指示するために用いられる。
【００２１】
第２態様の第５種類〜第８種類のいずれか一つの可能な実現形態を結合し、第２態様の第９種類の可能な実現形態において、端末デバイスより送信されたスケジューリング構成メッセージを受信することは、
端末デバイスより送信されたＮ個の前記第１スケジューリング構成メッセージを受信すること、又は、
端末デバイスより送信された一つの前記第１スケジューリング構成メッセージを受信すること、
を含み、
ここで、Ｎ個の前記第１スケジューリング構成メッセージとＮ個の第１伝送バージョンとは、一対一に対応し、各前記第１スケジューリング構成メッセージが、対応する前記第１伝送バージョンの前記第１データ伝送フォーマットと前記第１データ伝送リソースとを指示するために用いられ、
一つの前記第１スケジューリング構成メッセージが、Ｎ個の前記第１伝送バージョンの前記第１データ伝送フォーマットと前記第１データ伝送リソースとを指示する。
【００２２】
第２態様又はそれのいずれか一つの可能な実現形態を結合し、第２態様の第１０種類の可能な実現形態において、前記端末デバイスより送信されたスケジューリング構成メッセージを受信することは、
制御リソースプールにより指示されるリソースにおいて、前記端末デバイスより送信された前記スケジューリング構成メッセージをブラインド検出すること、又は、
前記端末デバイスのスケジューリング構成メッセージのための制御リソースにおいて、前記端末デバイスより送信された前記スケジューリング構成メッセージを受信すること、
を含む。
【００２３】
第３態様において、通信方法を提供し、
ダウンリンクデータのＭ個の第１符号化バージョン内の各前記第１符号化バージョンに対応する第１データ伝送フォーマットと第１データ伝送リソースを確定することと、
各前記第１符号化バージョンに対応する前記第１データ伝送フォーマットを利用し、ダウンリンクデータに対して変調、符号化を行い、各前記第１符号化バージョンを得ることと、
各前記第１符号化バージョンに対応する前記第１データ伝送リソースにおいて、端末デバイスに各前記第１符号化バージョンを送信することと、
を含み、ここで、前記Ｍが２以上の整数である。
【００２４】
第３態様を結合し、第３態様の第１種類の可能な実現形態において、前記方法は、
端末デバイスの前記Ｍ個の符号化バージョンに対する否定フィードバックメッセージを受信することと、
前記否定フィードバックメッセージに基づいて、第２データ伝送フォーマットと第２データ伝送リソースとを選択し、前記第２データ伝送フォーマットと前記第２データ伝送リソースとに従って、前記ダウンリンクデータの第２伝送バージョンを生成して送信することと、
をさらに含む。
【００２５】
第４態様において、通信方法を提供し、
ネットワークデバイスより送信されたダウンリンクデータのＭ個の第１符号化バージョンに対応するＭ個分の第１データ伝送リソースとＭ個の第１データ伝送フォーマットとを確定することと、
Ｍ個分の第１データ伝送リソースとＭ個の第１データ伝送フォーマットとに基づいて、各前記第１符号化バージョンを受信して復調、復号することと、
を含み、ここで、前記Ｍが２以上の整数である。
【００２６】
第４態様を結合し、第４態様の第１種類の可能な実現形態において、各前記第１符号化バージョンを受信して復調、復号することは、各前記第１符号化バージョンに対して個別に復号を行い、又はＭ個の前記第１符号化バージョンに対して一括して復号を行うことを含む。
【００２７】
第４態様の第１種類の可能な実現形態を結合し、第４態様の第２種類の可能な実現形態において、前記方法は、
各前記第１伝送バージョンに対して個別に復号を行い、且つＭ個の前記第１伝送バージョンに成功裏に復号した伝送バージョンが存在する場合、前記ネットワークデバイスに肯定確認ＡＣＫメッセージを送信することと、
各前記第１伝送バージョンに対して個別に復号を行い、且つ前記Ｍ個の伝送バージョンのいずれも成功裏に復号していない場合、前記ネットワークデバイスに否定確認ＮＡＣＫメッセージを送信することと、
をさらに含み、ここで、前記ネットワークデバイスが復号に失敗した前記第１伝送バージョンを把握することができるように、前記ＮＡＣＫメッセージが、復号の失敗した第１伝送バージョンの情報を含む。
【００２８】
第４態様の第１種類の可能な実現形態を結合し、第４態様の第３種類の可能な実現形態において、前記方法は、
Ｎ個の前記第１符号化バージョンに対して一括に復号を行い、且つ前記一括的な復号が成功した場合、前記ネットワークデバイスに肯定確認ＡＣＫメッセージを送信すること、又は
Ｍ個の前記第１符号化バージョンに対して一括して復号を行い、且つ前記一括的な復号に失敗した場合、前記ネットワークデバイスに否定確認ＮＡＣＫメッセージを送信すること、
をさらに含み、ここで、前記ＮＡＣＫメッセージが、Ｎ個の前記第１伝送バージョンの情報を含む。
【００２９】
第５態様において、端末デバイスを提供し、上記の第１態様又は第１態様の任意の可能な実現形態の方法を実施するように構成される。具体的に、当該端末デバイスは、上記の第１態様又は第１態様の任意の可能な実現形態の方法を実施するように構成されるユニットを含む。
【００３０】
第６態様において、ネットワークデバイスを提供し、上記の第２態様または第２態様の任意の可能な実現形態の方法を実施するように構成される。具体的に、当該ネットワークデバイスは、上記の第２態様又は第２態様の任意の可能な実現形態の方法を実施するように構成されるユニットを含む。
【００３１】
第７態様において、ネットワークデバイスを提供し、上記の第３態様または第３態様の任意の可能な実現形態の方法を実施するように構成される。具体的に、当該ネットワークデバイスは、上記の第３態様又は第３態様の任意の可能な実現形態の方法を実施するように構成されるユニットを含む。
【００３２】
第８態様において、端末デバイスを提供し、上記の第４態様または第４態様の任意の可能な実現形態の方法を実施するように構成される。具体的に、当該端末デバイスは、上記の第４態様又は第４態様の任意の可能な実現形態の方法を実施するように構成されるユニットを含む。
【００３３】
第９態様において、端末デバイスを提供し、記憶装置とプロセッサとを含み、当該記憶装置が命令を記憶するように構成され、当該プロセッサが当該記憶装置に記憶されている命令を実行するように構成され、当該プロセッサが当該記憶装置に記憶されている命令を実行する時に、当該実行は、当該プロセッサに、第１態様又は第１態様の任意の可能な実現形態の方法を実行させるようにする。
【００３４】
第１０態様において、ネットワークデバイスを提供し、記憶装置とプロセッサとを含み、当該記憶装置が命令を記憶するように構成され、当該プロセッサが当該記憶装置に記憶されている命令を実行するように構成され、当該プロセッサが当該記憶装置に記憶されている命令を実行する時に、当該実行は、当該プロセッサに、第２態様又は第２態様の任意の可能な実現形態の方法を実行させるようにする。
【００３５】
第１１態様において、ネットワークデバイスを提供し、記憶装置とプロセッサとを含み、当該記憶装置が命令を記憶するように構成され、当該プロセッサが当該記憶装置に記憶されている命令を実行するように構成され、当該プロセッサが当該記憶装置に記憶されている命令を実行する時に、当該実行は、当該プロセッサに、第３態様又は第３態様の任意の可能な実現形態の方法を実行させるようにする。
【００３６】
第１２態様において、端末デバイスを提供し、記憶装置とプロセッサとを含み、当該記憶装置が命令を記憶するように構成され、当該プロセッサが当該記憶装置に記憶されている命令を実行するように構成され、当該プロセッサが当該記憶装置に記憶されている命令を実行する時に、当該実行は、当該プロセッサに、第４態様又は第４態様の任意の可能な実現形態の方法を実行させるようにする。
【００３７】
第１３態様において、コンピュータ記憶媒体を提供し、当該コンピュータ記憶媒体にプログラムコードが記憶されており、当該プログラムコードが、上記の第１態様又は第１態様の任意の可能な実現形態の方法を実行するように指示するために用いられる。
【００３８】
第１４態様において、コンピュータ記憶媒体を提供し、当該コンピュータ記憶媒体にプログラムコードが記憶されており、当該プログラムコードが、上記の第２態様又は第２態様の任意の可能な実現形態の方法を実行するように指示するために用いられる。
【００３９】
第１５態様において、コンピュータ記憶媒体を提供し、当該コンピュータ記憶媒体にプログラムコードが記憶されており、当該プログラムコードが、上記の第３態様又は第３態様の任意の可能な実現形態の方法を実行するように指示するために用いられる。
【００４０】
第１６態様において、コンピュータ記憶媒体を提供し、当該コンピュータ記憶媒体にプログラムコードが記憶されており、当該プログラムコードが、上記の第４態様又は第４態様の任意の可能な実現形態の方法を実行するように指示するために用いられる。
【００４１】
そのため、本発明の実施例において、アップリンクデータの伝送バージョンを生成して伝送するために、端末デバイスは、データ伝送フォーマットを自ら確定し、また、データリソースプールからデータ伝送リソースを自ら選択し、また、アップリンクデータを送信するのに使用されるデータ伝送リソースとデータ伝送フォーマットとを指示するために、ネットワークデバイスにスケジューリング構成メッセージを送信する。それによって、スケジューリングしないデータ伝送方式を実現し、「端末デバイスがリソーススケジューリング要求を報告すること」、「ネットワークデバイスが端末デバイスのためにアップリンク伝送リソースをスケジューリングすること」、及び「端末デバイスがアップリンクデータを送信すること」という三つの手順を避け、伝送信頼性を低下させない前提において、遅延を減少することができる。
【図面の簡単な説明】
【００４２】
【図１】本発明の実施例による応用場面図である。
【図２】本発明の実施例による通信方法の概略的なフローチャートである。
【図３】本発明の実施例による通信方法の概略図である。
【図４】本発明の実施例による通信方法の概略的なフローチャートである。
【図５】本発明の実施例による通信方法の概略図である。
【図６】本発明の実施例による通信方法の概略図である。
【図７】本発明の実施例による通信方法の概略図である。
【図８】本発明の実施例による通信方法の概略図である。
【図９】本発明の実施例による通信方法の概略的なフローチャートである。
【図１０】本発明の実施例による通信方法の概略的なフローチャートである。
【図１１】本発明の実施例による通信方法の概略的なフローチャートである。
【図１２】本発明の実施例による通信方法の概略的なフローチャートである。
【図１３】本発明の実施例による端末デバイスの概略的なブロック図である。
【図１４】本発明の実施例によるネットワークデバイスの概略的なブロック図である。
【図１５】本発明の実施例によるネットワークデバイスの概略的なブロック図である。
【図１６】本発明の実施例による端末デバイスの概略的なブロック図である。
【図１７】本発明の実施例による端末デバイスの概略的なブロック図である。
【図１８】本発明の実施例によるネットワークデバイスの概略的なブロック図である。
【図１９】本発明の実施例によるネットワークデバイスの概略的なブロック図である。
【図２０】本発明の実施例による端末デバイスの概略的なブロック図である。
【発明を実施するための形態】
【００４３】
本発明の実施例の技術案をより明確に説明するために、上記に実施例又は先行技術の説明で必要となる図面を簡単に説明し、明らかに、上記に記載する図面は本発明のいくつかの実施例だけであり、当業者であれば、創造的な労力を払わない前提で、これらの図面に基づいて他の図面を得ることができる。
【００４４】
以下に本発明の実施例における図面を結合し、本発明の実施例における技術案を明確的、全面的に説明し、明らかに、説明した実施例は本発明の一部の実施例だけであり、全ての実施例ではない。本発明の実施例に基づき、当業者が創造的な労力を払わずに得られた他の実施例は、全て本発明の保護範囲に属する。
【００４５】
本明細書に使用される用語「コンポーネント」、「モジュール」、「システム」などはコンピュータに関連するエンティティ、ハードウェア、ファームウェア、ハードウェアとソフトウェアの組み合わせ、ソフトウェア、又は実行中のソフトウェアを表すことに用いられる。例えば、コンポーネントは、プロセッサで実行されているプロセス、プロセッサ、オブジェクト、実行可能ファイル、実行スレッド、プログラム及び/又はコンピュータであってもよいが、これらに限定されない。図面に示すように、コンピューティングデバイスで動作しているアプリケーション及びコンピューティングデバイスは全てコンポーネントであってもよい。一つ又は複数のコンポーネントはプロセス及び／又は実行スレッドに常駐することができ、コンポーネントは一つのコンピュータに置かれてもよく及び／又は２つ以上のコンピュータの間に配布してもよい。その他、これらのコンポーネントは、様々なデータ構造が記憶されている様々なコンピュータ可読媒体から実行されてもよい。コンポーネントは例えば一つ又は複数のデータグループ（例えばローカルシステム、分散型システム及び／又はネットワーク間の別のコンポーネントとインタラクションを行う二つのコンポーネントからのデータ、例えば信号によって他のシステムとインタラクションを行うインターネット）を含む信号に基づいて、ローカル及び／又は遠隔プロセスにより通信することができる。
【００４６】
本発明は、端末デバイスとネットワークデバイスとの各実施例を結合して説明する。端末デバイスは、アクセス端末、ユーザユニット、ユーザサイト、移動サイト、移動局、遠隔サイト、遠隔端末、移動装置、ユーザ端末、端末、無線通信装置、ユーザエージェント又はユーザ装置とも称される。アクセス端末装置はセルラー電話、コードレス電話、セッション開始プロトコル（ＳＩＰ：Ｓｅｓｓｉｏｎ  Ｉｎｉｔｉａｔｉｏｎ  Ｐｒｏｔｏｃｏｌ）電話、無線ローカルループ（ＷＬＬ：Ｗｉｒｅｌｅｓｓ  Ｌｏｃａｌ  Ｌｏｏｐ）サイト、パーソナルデジタル処理（ＰＤＡ：Ｐｅｒｓｏｎａｌ  Ｄｉｇｉｔａｌ  Ａｓｓｉｓｔａｎｔ）、無線通信機能を備えるハンドヘルドデバイス、コンピューティングデバイス又は無線モデムに接続された他の処理デバイス、車載デバイス、ウェアラブルデバイス、将来の５Ｇネットワークにおける端末デバイスなどであってもよい。ネットワークデバイスは、移動デバイスと通信するように構成されることができ、ネットワークデバイスは、グローバル移動通信（ＧＳＭ：Ｇｌｏｂａｌ  Ｓｙｓｔｅｍ  ｏｆ  Ｍｏｂｉｌｅ  ｃｏｍｍｕｎｉｃａｔｉｏｎ）、又は符号分割多元接続（ＣＤＭＡ：Ｃｏｄｅ  Ｄｉｖｉｓｉｏｎ  Ｍｕｌｔｉｐｌｅ  Ａｃｃｅｓｓ）における基地局（ＢＴＳ：Ｂａｓｅ  Ｔｒａｎｓｃｅｉｖｅｒ  Ｓｔａｔｉｏｎ）であっても良く、ブロードバンド符号分割多元接続（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）における基地局（ＮＢ：ＮｏｄｅＢ）であっても良く、ロング・ターム・エボリューション（ＬＴＥ：Ｌｏｎｇ  Ｔｅｒｍ  Ｅｖｏｌｕｔｉｏｎ）における進化型基地局（ｅＮＢ又はｅＮｏｄｅＢ：Ｅｖｏｌｕｔｉｏｎａｌ  Ｎｏｄｅ  Ｂ）であっても良く、又は中継局、アクセスポイント、車載デバイス、ウェアラブルデバイス及び将来の５Ｇネットワークにおけるネットワークデバイスであっても良い。
【００４７】
また、本発明の各々の態様又は特徴は、方法、装置又は標準化プログラミング、及び／又は、工程技術の製品として実現されても良い。本発明に使用されている用語「製品」は、任意のコンピュータでの読み取り可能な機器、キャリア、又は媒体からアクセスするコンピュータプログラムを含む。例えば、コンピュータで読み取り可能な媒体は、磁気記憶装置（例えば、ハードディスク、フロッピー又は磁気テープなど）、光ディスク（例えば、圧縮ディスク（ＣＤ：Ｃｏｍｐａｃｔ  Ｄｉｓｋ）、デジタル汎用ディスク（ＤＶＤ：Ｄｉｇｉｔａｌ  Ｖｅｒｓａｔｉｌｅ  Ｄｉｓｋ）など）、スマートカードとフラッシュメモリー（例えば、消去可能、プログラム可能な読み取り専用な記憶装置（ＥＰＲＯＭ：Ｅｒａｓａｂｌｅ  Ｐｒｏｇｒａｍｍａｂｌｅ  Ｒｅａｄ−Ｏｎｌｙ  Ｍｅｍｏｒｙ）、カード、メモリ・スティック又はキー・ドライブなど）を含むが、それらに限らない。また、本文に記述する各種の記憶媒体は、情報を記憶する一つの又は複数のデバイス、及び／又は、その他の機器での読み取り可能な媒体に代表的に用いられる。用語「機器での読み取り可能な媒体」は、無線チャネルと、命令、及び／又は、データを記憶、包含、及び／又は、ベアラする各種のその他の媒体とを含むが、それらに限らない。
【００４８】
図１は、本発明の実施例に使用される通信システムの概要図である。図１に示すように、当該通信システム１００は、ネットワークデバイス１０２を含み、ネットワークデバイス１０２は、複数のアンテナセットを含む。各アンテナセットは、一つ又は複数のアンテナを含むことができ、例えば、一つのアンテナセットはアンテナ１０４と１０６とを含むことができ、別の一つのアンテナセットはアンテナ１０８と１１０とを含むことができ、付加セットはアンテナ１１２と１１４とを含むことができる。図１において、各アンテナセットに２つのアンテナを示しているが、各セットは、より多く又は少ないアンテナを使用することができる。ネットワークデバイス１０２は、送信機チェーンと受信機チェーンを付加的に含むことができ、当業者は、それらのすべてが信号の送信と受信に関する複数のコンポーネント（例えばプロセッサ、変調器、マルチプレクサ、復調器、デマルチプレクサ又はアンテナなど）を含むことができる、と理解することができる。
【００４９】
ネットワークデバイス１０２は、複数の端末デバイス（例えば、端末デバイス１１６と端末デバイス１２２）と通信できる。さらに、ネットワークデバイス１０２が端末デバイス１１６又は１２２と類似する任意数の端末デバイスと通信できると理解することが可能である。端末デバイス１１６と１２２は、例えば、セルラー電話、スマートフォン、ポータブルコンピュータ、ポータブル通信デバイス、ポータブル計算デバイス、衛星無線装置、グローバル定位システム、ＰＤＡ及び／又は無線通信システム１００上で通信するための任意のその他の適切なデバイスであっても良い。
【００５０】
図１に示すように、端末デバイス１１６がアンテナ１１２と１１４と通信を行い、ここでアンテナ１１２と１１４とは、順方向リンク１１８を介して端末デバイス１１６に情報を送信し、逆方向リンク１２０を介して端末デバイス１１６から情報を受信する。また、端末デバイス１２２はアンテナ１０４及び１０６と通信し、ここでアンテナ１０４と１０６は順方向リンク１２４を介して端末デバイス１２２に情報を送信し、逆方向リンク１２６を介して端末デバイス１２２から情報を受信する。
【００５１】
例えば、周波数分割複信（ＦＤＤ：Ｆｒｅｑｕｅｎｃｙ  Ｄｉｖｉｓｉｏｎ  Ｄｕｐｌｅｘ）システムにおいて、例えば、順方向リンク１１８が、逆方向リンク１２０で使用されているのと異なる帯域を利用することができ、順方向リンク１２４が、逆方向リンク１２６で使用されているのと異なる帯域を利用することができる。
【００５２】
さらに例を挙げると、時分割複信（ＴＤＤ：Ｔｉｍｅ  Ｄｉｖｉｓｉｏｎ  Ｄｕｐｌｅｘ）システムと全二重（Ｆｕｌｌ  Ｄｕｐｌｅｘ）システムにおいて、順方向リンク１１８と逆方向リンク１２０とは共通の帯域を使用することができ、順方向リンク１２４と逆方向リンク１２６とは共通の帯域を使用することができる。
【００５３】
通信に用いられるように設計される各アンテナ、及び／又は、領域は、ネットワークデバイス１０２のセクタと称される。例えば、アンテナグループをネットワークデバイス１０２のカバレッジ領域のセクタ内の端末デバイスと通信するように設計することが可能である。ネットワークデバイス１０２が順方向リンク１１８と１２４を介して端末デバイス１１６と１２２とにそれぞれ通信を行う過程において、ネットワークデバイス１０２の送信アンテナは、ビームフォーミングを利用して順方向リンク１１８と１２４の信号対雑音比を改善することが可能である。また、ネットワークデバイスが単独のアンテナでそれのすべての端末デバイスに信号を送信する方式と比べて、ネットワークデバイス１０２がビームフォーミングを利用して、相関するカバレッジ領域内のランダム的に分散されている端末デバイス１１６と１２２とに信号を送信する時に、隣接セル内の移動デバイスは比較的に少ない干渉を受ける。
【００５４】
所定の時間において、ネットワークデバイス１０２、端末デバイス１１６又は端末デバイス１２２は、無線通信送信装置、及び／又は、無線通信受信装置であっても良い。データを送信する時に、無線通信送信装置は、データを符号化して伝送を行う。具体的に、無線通信送信装置は、チャネルを介して無線通信受信装置に送信しようとする一定の数のデータビットを取得（例えば、生成、その他の通信装置から受信、又は記憶装置に記憶するなど）することができる。このようなデータビットは、データの伝送ブロック（又は複数の伝送ブロック）内に含まれても良く、伝送ブロックが分割されて複数のコードブロックが生成されても良い。
【００５５】
本発明の実施例において、複数の端末デバイスは、同じ時間周波数リソースを多重化してネットワークデバイスと伝送を行うことができ、そのため、ネットワークデバイスは、同じタイミングで複数の端末デバイスとデータの伝送を行う可能性があり、ネットワークデバイスが各端末デバイスとデータ伝送の過程と類似しているため、理解と説明の便利上、以下において、ネットワークデバイスが複数の端末デバイスのうちのある一つの端末デバイスとデータを伝送するフローを例として説明する。
【００５６】
図２は、本発明の実施例による通信方法２００の概略的なフローチャートである。図２に示すように、当該方法２００は、２０１〜２１０を含む。
【００５７】
２０１において、ネットワークデバイスは、端末デバイスにデータリソースプール構成情報を送信することができ、当該データリソースプール構成情報が、データリソースプールに含まれるリソースを指示するようために用いられ、当該データリソースプールに含まれるリソースが、アップリンクデータの伝送バージョンを伝送するための端末デバイスが選択可能なリソースである。
【００５８】
２０２において、ネットワークデバイスは、端末デバイスに制御リソースプール構成情報を送信することができ、当該制御リソースプール構成情報が制御リソースプールに含まれるリソースを指示するために用いられ、当該制御リソースプールに含まれるリソースが、スケジューリング構成（ＳＡ：Ｓｃｈｅｄｕｌｉｎｇ  Ａｓｓｉｇｎｍｅｎｔ）メッセージを伝送するための端末デバイスが選択可能なリソースである。
【００５９】
選択肢として、ネットワークデバイスは、システム情報（ＳＩ：Ｓｙｓｔｅｍ  Ｉｎｆｏｒｍａｔｉｏｎ）を利用して、端末デバイスに制御リソースプール構成情報とデータリソースプール構成情報とを送信することができる。
【００６０】
選択肢として、本発明の実施例において、ネットワークデバイスは、端末デバイスにデータリソースプール構成メッセージ及び/又は制御リソースプール構成メッセージを送信せずに、端末デバイスに当該データリソースプール構成メッセージ及び/又は制御リソースプール構成メッセージを静的に設定することができる。
【００６１】
選択肢として、本発明の実施例において、リソースプールのリソースは、少なくとも時間ドメインと周波数ドメインという二つの次元によって定義され、又は、コードドメイン及び／又は空間ドメインなどの次元をさらに含む。
【００６２】
２０３において、端末デバイスは、アップリンクデータの伝送バージョンを取得するためのデータ伝送フォーマットを確定することができる。
【００６３】
選択肢として、本発明の実施例において、データ伝送フォーマットは、変調及び符号化方式（ＭＣＳ：Ｍｏｄｕｌａｔｉｏｎ  ａｎｄ  Ｃｏｄｉｎｇ  Ｓｃｈｅｍｅ）と符号化バージョンの情報などとを含むことができる。
【００６４】
２０４において、端末デバイスは、当該アップリンクデータの伝送バージョンを伝送するデータ伝送リソースを確定することができる。
【００６５】
２０５において、端末デバイスは、スケジューリング構成メッセージを生成することができ、当該スケジューリング構成メッセージに、２０３で確定されたデータ伝送フォーマットの情報と、２０４で確定されたデータ伝送リソースの情報とが含まれる。
【００６６】
２０６において、端末デバイスは、制御リソースプールから、当該スケジューリング構成メッセージを送信するリソースを選択し、ネットワークデバイスに当該スケジューリング構成メッセージを送信することができる。
【００６７】
選択肢として、本発明の実施例において、ネットワークデバイスは、端末デバイスに制御リソースプール構成情報を送信せずに、当該端末デバイスがネットワークデバイスにより設定された伝送リソースを直接に利用して当該スケジューリング構成メッセージを伝送するために、端末デバイスのスケジューリング構成メッセージのために伝送リソースを直接に設定することができ、ここで、ネットワークデバイスは、スケジューリング構成メッセージのために、システム情報によって端末デバイスに互いに重畳しない伝送リソースを設定することができる。
【００６８】
例えば、図３に示すように、基地局は、システムメッセージを送信することができ、当該システムメッセージが、データ伝送リソースプールと制御伝送リソースプールとを指示するために用いられる。データ伝送リソースプールがアップリンクデータの伝送バージョンを送信するために用いられ、制御伝送リソースプールが、アップリンクデータ伝送バージョンのデータ伝送リソースと、データ伝送フォーマットを指示するために用いられる。又は、基地局は、システムメッセージを送信することができ、当該システムメッセージが、データリソースプールとスケジューリング構成メッセージを送信するリソースを指示する。
【００６９】
２０７において、端末デバイスは、２０３で確定されたデータ伝送フォーマットに基づいて、アップリンクデータに対して符号化、変調を行い、アップリンクデータの伝送バージョンを生成する。
【００７０】
２０８において、端末デバイスは、２０４で確定されたデータ伝送リソースを使用して、当該アップリンクデータの伝送バージョンを送信する。
【００７１】
２０９において、ネットワークデバイスは、端末デバイスより送信されたスケジューリング構成メッセージに指示されるデータ伝送リソースにおいて、端末デバイスより送信されたアップリンクデータの伝送バージョンを受信する。
【００７２】
２１０において、ネットワークデバイスは、端末デバイスより送信されたスケジューリング構成メッセージにより指示されたデータ伝送フォーマットを利用し、アップリンクデータの伝送バージョンに対して復調、復号を行う。
【００７３】
本発明の実施例において、ネットワークデバイスがアップリンクデータの伝送バージョンに対する復調、復号が成功した場合、端末デバイスに肯定確認（ＡＣＫ：Ａｃｋｎｏｗｌｅｄｇｅ）メッセージを送信することができ、又は、ネットワークデバイスがアップリンクデータの伝送バージョンに対する復調又は復号に失敗した場合、端末デバイスに否定確認（ＮＡＣＫ：Ｎｏｎ−Ａｃｋｎｏｗｌｅｄｇｅ）メッセージを送信することができる。
【００７４】
端末デバイスがネットワークデバイスより送信されたＮＡＣＫメッセージを受信した場合、端末デバイスは、新しいデータ伝送フォーマットを確定することができ、データリソースプールから新しいデータ伝送リソースを確定し、当該新しいデータ伝送フォーマットと、新しいデータ伝送リソースに従って、アップリンクデータの伝送バージョンを生成して送信する。
【００７５】
本発明の各実施例において、上記の各過程の番号は実施の前後順序を意味せず、各過程の実施順序は、その機能と自身のロジックによって確定されるべきであり、本発明の実施例の実施過程を制限するものになるわけではない、理解すべきである。例えば、方法２００において、２０２を先に実施してから２０１を実施することができ、２０４を先に実施してから２０３を実施することができる。
【００７６】
そのため、本発明の実施例において、アップリンクデータの伝送バージョンを生成して伝送するために、端末デバイスは、データ伝送フォーマットを自ら確定し、また、データリソースプールからデータ伝送リソースを自ら選択し、また、アップリンクデータを送信するのに使用されるデータ伝送リソースとデータ伝送フォーマットとを指示するために、ネットワークデバイスにスケジューリング構成メッセージを送信する。それによって、スケジューリングしないデータ伝送方式を実現し、「端末デバイスがリソーススケジューリング要求を報告すること」、「ネットワークデバイスが端末デバイスのためにアップリンク伝送リソースをスケジューリングすること」、及び「端末デバイスがアップリンクデータを送信すること」という三つの手順を避け、伝送信頼性を低下させない前提において、遅延を減少することができる。
【００７７】
図４は、本発明の実施例による通信方法３００の概略的なフローチャートである。
【００７８】
３０１において、ネットワークデバイスは、端末デバイスにデータリソースプール構成情報を送信することができ、当該データリソースプール構成情報が、データリソースプールに含まれるリソースを指示するようために用いられ、当該データリソースプールに含まれるリソースが、アップリンクデータの伝送バージョンを伝送するための端末デバイスが選択可能なリソースである。
【００７９】
３０２において、ネットワークデバイスは、端末デバイスに制御リソースプール構成情報を送信することができ、当該制御リソースプール構成情報が制御リソースプールに含まれるリソースを指示するために用いられ、当該制御リソースプールに含まれるリソースが、スケジューリング構成（ＳＡ：Ｓｃｈｅｄｕｌｉｎｇ  Ａｓｓｉｇｎｍｅｎｔ）メッセージを伝送するための端末デバイスが選択可能なリソースである。
【００８０】
選択肢として、ネットワークデバイスは、システム情報（ＳＩ：Ｓｙｓｔｅｍ  Ｉｎｆｏｒｍａｔｉｏｎ）を利用して、端末デバイスに制御リソースプール構成情報とデータリソースプール構成情報とを送信することができる。
【００８１】
選択肢として、本発明の実施例において、ネットワークデバイスは、端末デバイスにデータリソースプール構成メッセージ及び/又は制御リソースプール構成メッセージを送信せずに、端末デバイスに当該データリソースプール構成メッセージ及び/又は制御リソースプール構成メッセージを静的に設定することができる。
【００８２】
選択肢として、本発明の実施例において、リソースプールのリソースは、少なくとも時間ドメインと周波数ドメインという二つの次元によって定義され、又は、コードドメイン及び／又は空間ドメインなどの次元をさらに含む。
【００８３】
３０３において、端末デバイスは、アップリンクデータのＮ個の伝送バージョン内の各伝送バージョンを生成するためのデータ伝送フォーマットを確定することができ、Ｎが２以上の整数である。
【００８４】
選択肢として、本発明の実施例において、データ伝送フォーマットは、変調及び符号化方式（ＭＣＳ：Ｍｏｄｕｌａｔｉｏｎ  ａｎｄ  Ｃｏｄｉｎｇ  Ｓｃｈｅｍｅ）と符号化バージョンの情報などとを含むことができる。
【００８５】
３０４において、端末デバイスは、当該アップリンクデータのＮ個の伝送バージョン内の各伝送バージョンを転送するデータ伝送リソースを確定することができる。
【００８６】
選択肢として、本発明の実施例において、異なる伝送バージョンに使用されるデータ伝送リソースは、異なるデータリソースプールから選定することができる。
【００８７】
３０５において、端末デバイスは、スケジューリング構成メッセージを生成することができ、当該スケジューリング構成メッセージに、３０３で確定されたデータ伝送フォーマットの情報と、３０４で確定されたデータ伝送リソースの情報とが含まれる。
【００８８】
選択肢として、本発明の実施例において、端末デバイスは、Ｎ個のスケジューリング構成メッセージを生成することができ、ここで、各スケジューリング構成メッセージは、一つの伝送バージョンに対応するデータ伝送フォーマットとデータ伝送リソースとを指示するために用いられる。端末デバイスは、一つのスケジューリング構成メッセージのみを生成しても良く、ここで、当該一つのスケジューリング構成メッセージは、アップリンクデータのＮ個の伝送バージョンに対応するデータ伝送フォーマットとデータ伝送リソースとを指示することができる。
【００８９】
３０６において、端末デバイスは、制御リソースプールから、当該スケジューリング構成メッセージを送信するリソースを選択し、ネットワークデバイスに当該スケジューリング構成メッセージを送信することができる。
【００９０】
選択肢として、本発明の実施例において、ネットワークデバイスは、端末デバイスに制御リソースプール構成情報を送信せずに、当該端末デバイスがネットワークデバイスにより設定された伝送リソースを直接に利用して当該スケジューリング構成メッセージを伝送するために、端末デバイスのスケジューリング構成メッセージのために伝送リソースを直接に設定することができ、ここで、スケジューリング構成メッセージを伝送するために、ネットワークデバイスは、システム情報によって端末デバイスに互いに重畳しない伝送リソースを設定することができる。
【００９１】
理解の便利上、以下において図５〜図８を結合してスケジューリング構成メッセージの４種類の実現形態を説明している。
【００９２】
第１種類の実現形態において、図５に示すように、基地局は、システム情報によって、複数のデータリソースプール（例えば、データリソースプール１、データリソースプール２、及びデータリソースプール３）と複数のスケジューリング構成メッセージ（例えば、スケジューリング構成メッセージ１、スケジューリング構成メッセージ２、及びスケジューリング構成メッセージ３）の伝送リソースを設定する。端末は、複数のデータリソースプールから、複数の伝送バージョンを伝送するための伝送リソースを選択し、これらの複数の伝送バージョン（例えば、伝送バージョン１、伝送バージョン２、及び伝送バージョン３）に対して複数のスケジューリング構成メッセージ（例えば、スケジューリング構成メッセージ１、スケジューリング構成メッセージ２、及びスケジューリング構成メッセージ３）をそれぞれ生成する。異なるスケジューリング構成メッセージは、異なる伝送バージョンのデータ伝送フォーマットとデータ伝送リソースとをそれぞれ指示する。端末は、基地局により設定された伝送リソースを利用して、各スケジューリング構成メッセージを伝送する。
【００９３】
第２種類の実現形態において、図６に示すように、基地局は、システム情報によって複数のデータリソースプール（例えば、データリソースプール１、データリソースプール２、及びデータリソースプール３）と、複数の制御リソースプール（例えば、制御リソースプール１、制御リソースプール２、及び制御リソースプール３）の伝送リソースを設定する。端末は、複数のデータリソースプールから、複数の伝送バージョンを伝送するための伝送リソースを選択し、これらの複数の伝送バージョン（例えば、伝送バージョン１、伝送バージョン２、及び伝送バージョン３）に対して、複数のスケジューリング構成メッセージ（例えば、スケジューリング構成メッセージ１、スケジューリング構成メッセージ２、及びスケジューリング構成メッセージ３）を生成する。異なるスケジューリング構成メッセージは、異なる伝送バージョンのデータ伝送フォーマットとデータ伝送リソースとをそれぞれ指示する。端末は、複数の制御リソースプールから、複数のスケジューリング構成メッセージのために伝送リソースを選択する。
【００９４】
第３種類の実現形態において、図７に示すように、基地局は、システム情報によって、複数のデータリソースプール（例えば、データリソースプール１、データリソースプール２、及びデータリソースプール３）と、一つのスケジューリング構成メッセージの伝送リソースを設定する。端末は、複数のデータリソースプールから、複数の伝送バージョンを伝送するための伝送リソースを選択し、これらの複数の伝送バージョン（例えば、伝送バージョン１、伝送バージョン２、及び伝送バージョン３）に対して、一つのスケジューリング構成メッセージをそれぞれ生成する。当該一つのスケジューリング構成メッセージは、異なる伝送バージョンのデータ伝送フォーマットとデータ伝送リソースとを指示する。端末は、基地局により設定された伝送リソースを利用して、当該一つのスケジューリング構成メッセージを伝送する。
【００９５】
第４種類の実現形態において、図８に示すように、基地局は、システム情報によって、複数のデータリソースプール（例えば、データリソースプール１、データリソースプール２、及びデータリソースプール３）と一つの制御リソースプールを設定する。端末は、複数のデータリソースプールから、複数の伝送バージョンを伝送するための伝送リソースを選択し、これらの複数の伝送バージョン（例えば、伝送バージョン１、伝送バージョン２、及び伝送バージョン３）に対して、一つのスケジューリング構成メッセージを生成する。当該一つのスケジューリング構成メッセージは、異なる伝送バージョンのデータ伝送フォーマットとデータ伝送リソースとを指示する。端末は、設定された制御リソースプールから、当該スケジューリング構成メッセージのために伝送リソースを選択する。
【００９６】
３０７において、端末デバイスは、２０３で確定された各伝送バージョンのデータ伝送フォーマットに基づいて、アップリンクデータのＮ個の伝送バージョンを生成する。
【００９７】
３０８において、端末デバイスは、３０４で確定されたＮ個分のデータ伝送リソースによって、当該アップリンクデータのＮ個の伝送バージョンを送信し、ここで、Ｎ個分の伝送リソースとＮ個の伝送バージョンとは一対一に対応する。
【００９８】
本発明の実施例において、端末デバイスは、当該Ｎ個の伝送バージョンを並行して送信することができ、ここで、「並行」の意味は、厳密の同じタイミングとは限らず、データのある一つの伝送バージョンを送信する前に、その他の送信済みの伝送バージョンの確認メッセージを待機する必要がないことを意味する。
【００９９】
３０９において、ネットワークデバイスは、端末デバイスより送信された一つの又はＮ個のスケジューリング構成メッセージにより指示されたデータ伝送リソースにおいて、端末デバイスより送信されたアップリンクデータのＮ個の伝送バージョンを受信する。
【０１００】
３１０において、ネットワークデバイスは、端末デバイスより送信された一つの又はＮ個のスケジューリング構成メッセージにより指示されたＮ個の伝送バージョンのデータ伝送フォーマットを利用して、当該アップリンクデータのＮ個の伝送バージョンに対して復調、復号を行う。
【０１０１】
選択肢として、本発明の実施例において、ネットワークデバイスは、アップリンクデータのＮ個の伝送バージョン内の各伝送バージョンのそれぞれに対して復号を行うことができ、当該Ｎ個の伝送バージョンに対して一括的な復号（即ち、複数の伝送バージョンの符号化シーケンスを一つの大きい符号化シーケンスにまとめてから、復号を行う）を行うこともできる。
【０１０２】
選択肢として、ネットワークデバイスが、何れかの一つの伝送バージョンを成功裏に復号した、又は当該Ｎ個の伝送バージョンに対して一括的な復号が成功した場合、端末デバイスに、アップリンクデータの伝送に対応するＡＣＫ（Ａｃｋｎｏｗｌｅｄｇｅ）メッセージを送信することができる。
【０１０３】
選択肢として、ネットワークデバイスがいずれの伝送バージョンを成功裏に復号していない、又はＮ個の伝送バージョンに対する一括的な復号に失敗した場合、端末デバイスにＮＡＣＫ（Ｎｏｎ−Ａｃｋｎｏｗｌｅｄｅｇ）メッセージを送信することができる。ここで、ネットワークデバイスは、各伝送バージョンのそれぞれに対して復号を行う場合、ネットワークデバイスは、各伝送バージョンのそれぞれに対してＮＡＣＫメッセージを送信することができ、各ＮＡＣＫメッセージが、対応する伝送バージョンの指示情報を含むことができ、それによって端末デバイスがどれの伝送バージョンが復号に失敗したかを把握することができ、ネットワークデバイスがＮ個の伝送バージョンに対して一括に復号する場合、ネットワークデバイスは、一つのＮＡＣＫを送信することができ、当該一つのＮＡＣＫは、前記Ｎ個の伝送バージョンの指示情報を含み、それによって、端末デバイスがどれらの伝送バージョンが一括的な復号に失敗したかを把握することができる。又は、ネットワークデバイスは、新しいデータ伝送リソースと、新しいデータ伝送フォーマットとを確定しても良く、端末デバイスに、当該新しいデータ伝送フォーマットと新しいデータ伝送リソースを含むアップリンクリソースメッセージを送信することによって、端末デバイスは当該新しいデータ伝送フォーマットと新しいデータ伝送リソースとに基づいて、アップリンクデータの伝送を行うことができる。ここで、当該アップリンクリソースメッセージは、ネットワークデバイスがアップリンクリソース要求を受信した後に送信するものであっても良く、又はネットワークデバイスにアップリンクリソースを要求するためにも用いられるスケジューリング構成メッセージを受信した後に送信されるものであっても良く、この場合、当該アップリンクリソースメッセージは、アップリンクリソース応答とも称され、具体的な説明は、図９を参照することができる。
【０１０４】
端末デバイスがネットワークデバイスより送信されたＮＡＣＫメッセージを受信した場合、端末デバイスは、新しいデータ伝送フォーマットを確定することができ、データリソースプールから新しいデータ伝送リソースを確定し、当該新しいデータ伝送フォーマットと、新しいデータ伝送リソースに従って、アップリンクデータの伝送バージョンを生成して送信する。
【０１０５】
なお、本発明の実施例において、データ（アップリンク又はダウンリンク）の伝送が失敗した場合、端末デバイス又はネットワークデバイスが新しいデータ伝送フォーマットと新しい伝送リソースを確定することを例として説明している。当然、データの伝送が失敗した場合、新しいデータ伝送フォーマットとして前のリソースを流用し、又は前のリソースを流用しながら、新しい伝送リソースを確定することもできる。
【０１０６】
また、本発明は、Ｎ個の伝送バージョンのデータ伝送リソースとデータ伝送とがいずれも異なることを例として説明している。本発明の実施例におけるＮ個の伝送バージョンは、同じ伝送フォーマット、異なる伝送リソースも使用しても良く、当該Ｎ個のバージョンを区別させ、順調に伝送さえできれば良い。
【０１０７】
そのため、本発明の実施例において、アップリンクデータの伝送バージョンを生成して伝送し、また、ネットワークデバイスにスケジューリング構成メッセージを送信するために、端末デバイスはデータ伝送フォーマットを確定し、アップリンクデータを送信するのに使用されるデータ伝送リソースとデータ伝送フォーマットとを指示するために、データリソースプールからデータ伝送リソースを選択する。それによって、スケジューリングしないデータ伝送方式を実現し、「端末デバイスがリソーススケジューリング要求を報告すること」、「ネットワークデバイスが端末デバイスのためにアップリンク伝送リソースをスケジューリングすること」、及び「端末デバイスがアップリンクデータを送信すること」という三つの手順を避け、伝送信頼性を低下させない前提において、遅延を減少することができる。
【０１０８】
本発明の実施例において、リソースプールのランダム的なリソース選択方式による「端末間のリソース衝突」と相互干渉問題を解決するために、本発明において、端末デバイスが複数のデータリソースプールからデータ伝送リソースを同時に選択し、アップリンクデータを同時に送信する強化方法をさらに提案し、それによって衝突の確率を減少し、アップリンク伝送の信頼性を向上させることができる。さらに、本発明における複数のリソースプールは、同じ時間ドメインリソースを占用しながら、周波数ドメインで区別させることが可能であり、即ち、時間ドメイン重複ではなく、「周波数ドメイン重複」の方法を採用し、低遅延と高信頼性とを同時に実現することができる。
【０１０９】
図９は、本発明の実施例による通信方法４００の概略的なフローチャートである。
【０１１０】
４０１において、端末デバイスは、ネットワークデバイスにスケジューリング構成メッセージを送信し、当該スケジューリング構成メッセージが、アップリンクデータの第１伝送バージョンに対応するデータ伝送リソースとデータ伝送フォーマットとを指示するために用いられる。
【０１１１】
４０２において、端末デバイスは、ネットワークデバイスにアップリンクデータの第１伝送バージョンを送信する。
【０１１２】
本発明の実施例において、４０１と４０２とにおけるスケジューリング構成メッセージとアップリンクデータの伝送バージョンとの生成と送信については、図２又は図３に示される方法２００又は３００を参照することができ、簡潔上、ここで省略する。
【０１１３】
４０３において、端末デバイスは、ネットワークデバイスにアップリンクリソーススケジューリング要求を送信し、当該アップリンクリソーススケジューリング要求が、当該アップリンクデータのためにアップリンク伝送リソースを割り当てるようにネットワークデバイスを要求するように用いられる。
【０１１４】
本発明の実施例において、アップリンクリソーススケジューリング要求は、二つの実現形態があり、一つは、端末デバイスが明確なリソーススケジューリング要求を送信することであり、この方式において、端末より送信されたリソーススケジューリング要求に、当該リソーススケジューリング要求と、同時に送信されるアップリンクデータの第１伝送バージョンとの関連関係情報が含まれ、即ち、当該リソーススケジューリング要求が、その他のアップリンクデータに対するスケジューリング要求ではなく、当該アップリンクデータに対するものであると明示し、それによって、前記ネットワークデバイスが、前記リソーススケジューリング要求のアップリンクデータに対する受信状況を明確することができる。二つ目は、端末のリソーススケジューリング要求が、４０１におけるスケジューリング構成メッセージにより不明確的に示されることであり、このような方式において、端末デバイスがもう単独なリソーススケジューリング要求を送信しない。
【０１１５】
４０４において、ネットワークデバイスは、端末デバイスより送信されたスケジューリング構成メッセージに基づいて、アップリンクデータの第１伝送バージョンを受信して復調、復号を行い、ここで、アップリンクの受信と復調、復号方式は、図２又は図３に示されている方法２００又は３００を参照することができ、簡潔上、ここで省略する。
【０１１６】
４０４において、ネットワークデバイスは、アップリンクデータの第１伝送バージョンの復調、復号の状況に基づいて、端末デバイスにＡＣＫ／ＮＡＣＫ、又はアップリンクリソース割り当て応答を送信する。
【０１１７】
ネットワークデバイスは、端末デバイスより送信されたアップリンクデータの第１伝送バージョンに対する伝送バージョンの復調、復号の状況に基づいて、肯定確認メッセージ又は否定確認メッセージ（例えば、ＡＣＫ／ＮＡＣＫ）、及びアップリンクリソース割り当て応答（例えば、アップリンク許可（ＵＬ（Ｕｐｌｉｎｋ）  Ｇｒａｎｔ））を送信するかを確定する。具体的に、
ネットワークデバイスが、端末デバイスより送信されたアップリンクデータの第１伝送バージョンを受信し、成功裏に復調、復号（例えば、ＣＲＣ検査成功）した場合、ネットワークデバイスは、端末デバイスに当該データに対応する肯定確認（ＡＣＫ）のみを送信し、しかも端末からのアップリンクリソーススケジューリング要求を受信した場合、このアップリンクリソーススケジューリング要求を無視する。
【０１１８】
ネットワークデバイスが端末デバイスより送信されたアップリンクデータの第１伝送バージョンを受信したが、復調又は復号が成功していない（例えば、ＣＲＣ検査失敗）場合、ネットワークデバイスは、下記の二つの方法を採用する。
【０１１９】
方法１としては、ネットワークが、アップリンクデータの第２伝送バージョンがネットワークのスケジューリングに従って伝送されることを望む場合、ネットワークデバイスは、端末のアップリンクリソーススケジューリング要求又は／及びスケジューリング構成メッセージに含まれる情報に基づいて、当該端末のためにアップリンクリソースをスケジューリングし、当該端末デバイスに、対応するアップリンクリソース割り当て応答（ＵＬ  Ｇｒａｎｔ）を送信する。当該アップリンクリソース割り当て応答は、端末デバイスがアップリンクデータの第２伝送バージョンの伝送フォーマットと伝送リソースとを伝送するように指定する。アップリンクリソース割り当て応答を受信した後に、端末デバイスは、ネットワークデバイスのＡＣＫ／ＮＡＣＫフィードバックを無視し、アップリンクリソースの割り当てに基づいて、アップリンクデータの第２伝送バージョンを伝送する。
【０１２０】
方法２として、ネットワークが、アップリンクデータの第２伝送バージョンが依然として端末自らリソース選択方式で伝送されることを望む場合、ネットワークデバイスは、端末にアップリンクリソース割り当て応答を送信せずに、端末に当該伝送バージョンに対応する否定確認（ＮＡＣＫ）を送信する。この場合、端末は、第１回の伝送と同様な方法に従って、伝送フォーマットを自ら確定し、リソースプールから伝送リソースを自ら選択して、第２回の伝送を行い、ここで、選択した伝送リソースと伝送フォーマットとは、第１回の選択と異なっても良い。
【０１２１】
ネットワークデバイスが端末デバイスより送信されたアップリンクデータの第１伝送バージョンを受信していない場合、ネットワークデバイスは、端末のアップリンクリソーススケジューリング要求又は／及びスケジューリング構成メッセージに含まれる情報に基づいて、当該端末のためにアップリンクリソースをスケジューリングし、当該端末に、ＡＣＫ／ＮＡＣＫ情報を送信しなくても良く、対応するアップリンクリソース割り当て応答（ＵＬ  Ｇｒａｎｔ）を送信する。
【０１２２】
例えば、図１０に示すように、４０４−１において、ネットワークデバイスは、アップリンクリソーススケジューリング要求を受信する。４０４−２において、ネットワークデバイスは、端末デバイスからのアップリンクデータを受信したか否かを判断し、否定の結果である場合、４０４−３を実施し、肯定の結果である場合、４０４−４を実施する。４０４−３において、ネットワークデバイスは、端末デバイスのためにアップリンクリソースをスケジューリングし、アップリンクデータの第２伝送バージョンを伝送するためのアップリンクリソースを指示するために、アップリンクリソーススケジューリングメッセージを送信する。４０４−４において、ネットワークデバイスは、端末デバイスからのアップリンクデータを成功裏に復号したか否かを判断し、肯定の結果である場合、４０４−５を実施し、否定の結果である場合、４０４−６を実施する。４０４−５において、ネットワークデバイスは、端末デバイスにＡＣＫメッセージを送信する。４０４−６において、ネットワークデバイスは、端末デバイスがネットワークのスケジューリングに従って、アップリンクデータの伝送バージョンを伝送することを望むか否かを選択し、否定の結果である場合、４０４−７を実施し、肯定の結果である場合、４０４−８を実施する。４０４−７において、ネットワークデバイスは、端末デバイスにＮＡＣＫメッセージを送信する。４０４−８において、ネットワークデバイスは、アップリンクデータの第２伝送バージョンを伝送するためのアップリンクリソースと伝送フォーマットとを指示するために、端末デバイスにスケジューリングアップリンクリソースを送信し、しかもアップリンクリソース割り当て応答も送信する。
【０１２３】
４０５において、端末デバイスがアップリンクリソース割り当て応答又はＮＡＣＫ情報を受信した場合、アップリンクデータの第３伝送バージョンを伝送する。
【０１２４】
選択肢として、図１１に示すように、端末デバイスがアップリンクリソース割り当て応答（ＵＬ  Ｇｒａｎｔ）を受信した場合、ＵＬ  Ｇｒａｎｔに指示されたデータ伝送リソースとデータ伝送フォーマットとに従って、アップリンクデータの第２伝送バージョン（４０５−２）を送信する。ＵＬ  Ｇｒａｎｔが受信されない場合、４０５−３を実施する。４０５−３において、受信した確認（ＡＣＫ／ＮＡＣＫ）メッセージがＮＡＣＫである場合、端末デバイスは、伝送フォーマットを自ら確定し、リソースプールから伝送リソースを選択し、アップリンクデータの第３伝送バージョンを送信する（４０５−４）。
【０１２５】
そのため、本発明の実施例において、スケジューリングしないこととスケジューリングすることとを結合する通信方法を採用し、このような方法は、いかなる状況においても信頼性の引き下げ、スペクトル効率の劣化、及びパワー要求の上昇が引き起こされず、逆に、ある状況において低遅延を実現することができる。この方法は、スケジューリングしない方式をまず採用してアップリンクを伝送し、伝送が成功した場合、伝送遅延を大幅に短縮することができる。伝送に失敗した場合、スケジューリング方式を採用するように転換することができ、現行システムと同様な信頼性を得ることができ、同時に遅延も増大されない。
【０１２６】
図１２は、本発明の実施例による通信方法５００の概略的なフローチャートである。
【０１２７】
５０１において、ネットワークデバイスは、伝送しようとするダウンリンクデータの伝送バージョンの数量Ｍに基づいて、各伝送バージョンのそれぞれに対応するデータ伝送リソースとデータ伝送フォーマットとを確定する。
【０１２８】
５０２において、ネットワークデバイスは、各伝送バージョンのそれぞれに対応するデータ伝送フォーマットに基づいて、各伝送バージョンを生成し、対応するデータ伝送リソースによって、当該伝送バージョンを送信する。
【０１２９】
選択肢として、本発明の実施例において、ネットワークデバイスは、端末デバイスに複数の伝送バージョンを並行して送信することができ、ここで、「並行」の意味は、厳密の同じタイミングとは限らず、データのある一つの伝送バージョンを送信する前に、その他の送信済みの伝送バージョンの確認メッセージを待機する必要がないことを意味する。
【０１３０】
５０３において、端末デバイスは、復調と復号の状況に基づいて、基地局に確認メッセージをフィードバックする。
【０１３１】
選択肢として、本発明の実施例において、端末は、各伝送バージョンに対して個別に復号しても良く、よりよく復号効果を得るために、任意のいくつかの伝送バージョンに対して一括に復号しても良い。
【０１３２】
端末デバイスが各第１伝送バージョンに対して個別に復号し、しかもＭ個の第１伝送バージョンに、成功裏に復号した伝送バージョンが存在する場合、ネットワークデバイスに肯定確認ＡＣＫメッセージを送信し、各第１伝送バージョンに対して個別に復号し、しかもＭ個の伝送バージョンのいずれも成功裏に復号していない場合、ネットワークデバイスに、否定確認ＮＡＣＫメッセージを送信し、ここで、ネットワークデバイスが復号に失敗した第１伝送バージョンを把握することができるように、ＮＡＣＫメッセージが、復号の失敗した第１伝送バージョンの情報を含む。
【０１３３】
又は、Ｍ個の前記第１伝送バージョンに対して一括的に復号をし、しかも一括的な復号が成功した場合、ネットワークデバイスに肯定確認ＡＣＫメッセージを送信する。
【０１３４】
Ｍ個の前記第１伝送バージョンに対して一括的に復号し、しかも一括的な復号に失敗した場合、ネットワークデバイスに否定確認ＮＡＣＫメッセージを送信し、ここで、ＮＡＣＫメッセージが前記Ｎ個の符号化バージョンの情報を含む。
【０１３５】
選択肢として、本発明の実施例において、ネットワークデバイスは、端末デバイスより送信されたＮＡＣＫメッセージを受信した場合、データ伝送リソースとデータ伝送フォーマットとを改めて選択することができ、改めて選択したデータ伝送リソースとデータ伝送フォーマットとに基づいて、伝送バージョンを生成し、端末デバイスに送信する。
【０１３６】
本発明の実施例において、複数のリソースにおいて、一つのダウンリンクデータの複数の伝送バージョンを並行して送信することによって、チャネルフェーディングと干渉によるあるリソース上の無線リンクの失敗を有効に克服することができ、伝送の信頼性を向上させ、時間ドメインの単純な再送による遅延を短縮することができる。
【０１３７】
図１３は、本発明の実施例による端末デバイス６００の概略的なブロック図である。図１３に示すように、当該端末デバイス６００は、確定ユニット６１０、送信ユニット６２０、及び生成ユニット６３０を含み、ここで、
前記確定ユニット６１０は、第１データ伝送フォーマットを確定し、またデータリソースプールから第１データ伝送リソースを選定するように構成され、前記第１データ伝送フォーマットが、アップリンクデータの第１伝送バージョンを生成するために用いられ、前記第１データ伝送リソースが、前記第１伝送バージョンを伝送するために用いられる。
【０１３８】
前記送信ユニット６２０は、ネットワークデバイスに第１スケジューリング構成メッセージを送信するように構成され、前記第１スケジューリング構成メッセージが、前記第１データ伝送リソースの情報と前記第１データ伝送フォーマットの情報とを含む。
【０１３９】
前記生成ユニット６３０は、前記第１データ伝送フォーマットに基づいて、前記アップリンクデータに対して符号化変調を行って、前記第１伝送バージョンを生成するように構成される。
【０１４０】
前記送信ユニット６２０は、前記ネットワークデバイスが前記第１スケジューリング構成メッセージに基づいて、前記第１伝送バージョンを受信して復調、復号することができるように、前記第１データ伝送リソースによって、ネットワークデバイスに前記第１伝送バージョンを送信するようにさらに構成される。
【０１４１】
選択肢として、図１３に示すように、前記端末デバイス６００は、受信ユニット６４０をさらに含み、ここで、
前記送信ユニット６２０は、前記ネットワークデバイスにアップリンクリソーススケジューリング要求を送信するようにさらに構成され、前記アップリンクリソーススケジューリング要求が、前記アップリンクデータのためにアップリンクリソースを割り当てるように前記ネットワークデバイスに要求するために用いられ、ここで、前記リソーススケジューリング要求が前記第１伝送バージョンと関連する関係の情報を含み、又は、前記スケジューリング構成メッセージが、前記アップリンクデータのためにアップリンクリソースを割り当てるように前記ネットワークデバイスに要求するようにさらに用いられ、前記スケジューリング構成メッセージが、前記第１伝送バージョンと関連する関係の情報を含む。
【０１４２】
前記受信ユニット６４０は、前記ネットワークデバイスより送信されたアップリンクリソース割り当て応答を受信するように構成される。
【０１４３】
前記生成ユニット６３０は、前記アップリンクリソース割り当て応答に指示された第２データ伝送フォーマットに基づいて、前記アップリンクデータの第２伝送バージョンを生成するように構成される。
【０１４４】
前記送信ユニット６２０は、前記第２データ伝送リソースによって前記第２伝送バージョンを送信するようにさらに構成される。
【０１４５】
選択肢として、図１３に示すように、前記端末デバイス６００は、受信ユニット６４０をさらに含み、ここで、
前記受信ユニット６４０は、前記ネットワークデバイスが前記アップリンクデータの第１伝送バージョンに対して送信された否定確認ＮＡＣＫメッセージを受信するように構成される。
【０１４６】
前記確定ユニット６１０は、第３データ伝送フォーマットを確定し、前記データリソースプールから第３データ伝送リソースを選定するようにさらに構成され、前記第３データ伝送フォーマットが前記アップリンクデータの第３伝送バージョンを生成するために用いられ、前記第３データ伝送リソースが前記第３伝送バージョンを伝送するために用いられる。
【０１４７】
前記送信ユニット６２０は、前記ネットワークデバイスに第２スケジューリング構成メッセージを送信するようにさらに構成され、前記第２スケジューリング構成メッセージが、前記第３データ伝送リソースの情報と前記第３データ伝送フォーマットの情報とを含む。
【０１４８】
前記生成ユニット６３０は、前記第３データ伝送フォーマットに基づいて、前記アップリンクデータに対して符号化変調を行って、前記第３伝送バージョンを生成するようにさらに構成される。
【０１４９】
前記送信ユニット６２０は、前記受信側が前記第２スケジューリング構成メッセージに基づいて、前記第３伝送バージョンを受信して復調、復号することができるように、前記第３データ伝送リソースによって、前記ネットワークデバイスに前記第３伝送バージョンを送信するようにさらに構成される。
【０１５０】
選択肢として、前記確定ユニット６１０は、具体的に、Ｎ個の前記第１伝送バージョン内の各バージョンを生成するために使用される前記第１データ伝送フォーマットを確立し、また、前記データリソースプールからＮ個分の前記第１データ伝送リソースを確定するように構成され、前記Ｎが２以上の整数であり、Ｎ個分の前記第１データ伝送リソースのうちの各個分の伝送リソースが、Ｎ個の前記第１伝送バージョン内の対応する伝送バージョンを転送するために用いられ、Ｎ個分の前記第１データ伝送リソースとＮ個の前記第１伝送バージョンとは一対一に対応する。
【０１５１】
前記送信ユニット６２０は、具体的に、ネットワークデバイスに前記第１スケジューリング構成情報を送信するように構成され、前記第１スケジューリング構成メッセージが、Ｎ個の前記第１伝送バージョン内の各バージョンに対応する前記第１データ伝送リソースと前記第１データ伝送フォーマットとを含む。
【０１５２】
前記生成ユニット６３０は、具体的に、各バージョンを生成するために使用される前記第１データ伝送フォーマットに基づいて、各前記第１伝送バージョンを生成するように構成される。
【０１５３】
前記送信ユニット６２０は、具体的に、Ｎ個分の前記第１データ伝送リソースによって、前記アップリンクデータのＮ個の第１伝送バージョンに対応するバージョンをそれぞれ送信するように構成される。
【０１５４】
選択肢として、前記送信ユニット６２０は、具体的に、ネットワークデバイスにＮ個の前記第１スケジューリング構成メッセージを送信するように構成され、ここで、Ｎ個の前記第１スケジューリング構成メッセージとＮ個の前記第１伝送バージョンとは一対一に対応し、各前記第１スケジューリング構成メッセージが、対応する前記第１伝送バージョンの前記第１データ伝送フォーマットと前記第１データ伝送リソースとを指示するために用いられ、又は、
前記送信ユニット６２０は、具体的に、ネットワークデバイスに一つの第１スケジューリング構成メッセージを送信するように構成され、ここで、前記一つの前記第１スケジューリング構成メッセージが、Ｎ個の前記第１伝送バージョンの第１データ伝送フォーマットと第１データ伝送リソースとを指示するために用いられる。
【０１５５】
選択肢として、前記送信ユニット６２０は、具体的に、
ネットワークデバイスにより前記第１スケジューリング構成メッセージのために設定された伝送リソースを利用し、前記ネットワークデバイスに前記第１スケジューリング構成メッセージを送信するように構成され、又は
制御リソースプールから制御伝送リソースを選択し、前記制御伝送リソースによって、前記ネットワークデバイスに前記第１スケジューリング構成メッセージを送信するように構成される。
【０１５６】
選択肢として、図１３に示すように、前記端末デバイス６００は、受信ユニット６４０をさらに含み、ここで、前記受信ユニット６４０は、
前記ネットワークデバイスより送信されたリソースプール構成情報を受信するように構成され、前記リソースプール情報が、データリソースプールの構成情報と制御リソースプールの構成情報とを含み、ここで、前記データリソースプールが、前記第１伝送バージョンを伝送するための選択可能なアップリンクリソースを含み、また前記制御リソースプールが、前記スケジューリング構成メッセージを伝送するための選択可能なアップリンクリソースを含む。
【０１５７】
なお、本発明の実施例による端末デバイス６００は、本発明の実施例における方法２００−４００を実施する端末デバイスに対応することができ、端末デバイス６００の各ユニットの上記動作及び/又は機能は、上記の方法実施例内の端末デバイスに対応する各フロー及び/又はステップを実施するために用いられ、重複を避けるために、ここで省略する。
【０１５８】
図１４は、本発明の実施例によるネットワークデバイス７００の概略的なブロック図である。図１４に示すように、当該ネットワークデバイス７００は、受信ユニット７１０と、データ取得ユニット７２０とを含み、ここで、
受信ユニット７１０は、端末デバイスより送信されたスケジューリング構成メッセージを受信するように構成され、前記スケジューリング構成メッセージが、前記端末デバイスより送信されたアップリンクデータの第１伝送バージョンに対応する第１データ伝送フォーマットと第１データ伝送リソースとを指示するために用いられる。
【０１５９】
データ取得ユニット７２０は、前記第１データ伝送フォーマットと前記第１データ伝送リソースとに基づいて、前記アップリンクデータの前記第１伝送バージョンを受信して復調、復号するように構成される。
【０１６０】
選択肢として、図１４に示すように、前記ネットワークデバイス７００は、前記端末デバイスのためにデータリソースプールを設定し、前記端末デバイスのために制御リソースプールを設定するように構成される構成ユニット７３０をさらに含み、前記データリソースプールが、前記第１伝送バージョンを伝送するための前記端末デバイスが選択可能なアップリンクリソースを含み、前記制御リソースプールが、前記スケジューリング構成メッセージを伝送するための前記端末デバイスが選択可能なアップリンクリソース、又は前記端末デバイスのために設定された、前記スケジューリング構成メッセージを伝送するためのアップリンクリソースを含む。
【０１６１】
選択肢として、前記ネットワークデバイス７００は、送信ユニット７４０と構成ユニット７３０とを含み、ここで、
前記受信ユニット７１０は、前記端末デバイスより送信されたアップリンクリソーススケジューリング要求を受信するように構成さ、前記アップリンクリソーススケジューリング要求が、前記アップリンクデータのためにアップリンクリソースを割り当てるように前記ネットワークデバイスに要求するために用いられ、ここで、前記リソーススケジューリング要求が前記第１伝送バージョンと関連する関係の情報を含み、又は、前記スケジューリング構成メッセージが、前記アップリンクデータのためにアップリンクリソースを割り当てるように前記ネットワークデバイスに要求するようにさらに用いられ、前記スケジューリング構成メッセージが、前記第１伝送バージョンと関連する関係の情報を含む。
【０１６２】
前記データ取得ユニット７２０が前記第１伝送バージョンが受信されない場合、又は前記第１伝送バージョンに対する復調又は復号に失敗した場合、前記構成ユニット７３０は、前記アップリンクデータのために第２データ伝送リソースを割り当て、第２データ伝送フォーマットを確定するように構成される。
【０１６３】
前記送信ユニット７４０は、前記端末デバイスにアップリンクリソース割り当て応答を送信するようにさらに構成され、ここで、前記アップリンクリソース割り当て応答が、前記端末デバイスが、前記第２データ伝送リソースと前記第２データ伝送フォーマットとに基づいて、前記端末デバイスの第２伝送バージョンを生成することができるように、前記第２データ伝送リソースと前記第２データ伝送フォーマットとを指示するために用いられる。
【０１６４】
選択肢として、前記送信ユニット７４０は、
前記データ取得ユニット７２０が前記アップリンクデータの前記第１伝送バージョンに対して成功裏に復号した場合、前記端末デバイスに肯定確認ＡＣＫメッセージを送信し、前記アップリンクリソーススケジューリング要求を無視するようにさらに構成される。
【０１６５】
選択肢として、前記送信ユニット７４０は、
前記データ取得ユニット７２０が前記第１伝送バージョンが受信されない場合、又は前記第１伝送バージョンに対する復調又は復号に失敗した場合、端末デバイスに否定確認ＮＡＣＫ情報を送信するようにさらに構成される。
【０１６６】
選択肢として、前記第１スケジューリング構成メッセージが、前記端末デバイスより送信されたアップリンクデータのＮ個の第１伝送バージョン内の各バージョンに対応する前記第１データ伝送フォーマットと前記第１データ伝送リソースとを指示するために用いられ、前記Ｎが２以上の整数である。
【０１６７】
前記データ取得ユニット７２０は、具体的に、Ｎ個の第１伝送バージョン内の各バージョンに対応する前記第１データ伝送フォーマットと前記第１データ伝送リソースとに基づいて、Ｎ個の前記第１伝送バージョンを受信して復調、復号するように構成される。
【０１６８】
選択肢として、前記データ取得ユニット７２０は、具体的に、各前記第１伝送バージョンに対して個別に復号を行い、又は、Ｎ個の前記第１伝送バージョンに対して一括して復号を行うように構成される。
【０１６９】
選択肢として、前記ネットワークデバイス７００は、送信ユニット７４０をさらに含み、ここで、前記送信ユニット７４０は、
前記データ取得ユニットがＮ個の前記第１符号化バージョンに対して一括に復号を行い、且つ前記一括的な復号が成功した場合、前記端末デバイスに肯定確認ＡＣＫメッセージを送信し、又は、
前記データ取得ユニットがＮ個の前記第１符号化バージョンに対して一括に復号を行い、且つ前記一括的な復号に失敗した場合、前記端末デバイスが、復号の失敗した前記第１伝送バージョンを把握することができるように、前記端末デバイスにＮＡＣＫメッセージ又はアップリンクリソース割り当てメッセージを送信するように構成され、
前記ＮＡＣＫメッセージが、復号の失敗した第１伝送バージョンの情報を含み、前記端末デバイスが、前記第２データ伝送リソースと前記第２データ伝送フォーマットとに基づいて、前記端末デバイスの第２伝送バージョンを生成することができるように、前記アップリンクリソース割り当てメッセージが、前記端末デバイスのために確定した第２データ伝送リソースと第２データ伝送フォーマットとを指示するために用いられる。
【０１７０】
選択肢として、図１４に示すように、前記ネットワークデバイス７００は、送信ユニット７４０をさらに含み、前記送信ユニット７４０は、
前記データ取得ユニットがＮ個の前記第１符号化バージョンに対して一括に復号を行い、且つ前記一括的な復号が成功した場合、前記端末デバイスに肯定確認ＡＣＫメッセージを送信し、又は、
前記データ取得ユニットがＮ個の前記第１符号化バージョンに対して一括に復号を行い、且つ前記一括的な復号に失敗した場合、前記端末デバイスが、復号の失敗した前記第１伝送バージョンを把握することができるように、前記端末デバイスにＮＡＣＫメッセージ又はアップリンクリソース割り当てメッセージを送信するように構成され、
前記ＮＡＣＫメッセージが、復号の失敗した第１伝送バージョンの情報を含み、前記端末デバイスが、前記第２データ伝送リソースと前記第２データ伝送フォーマットとに基づいて、前記端末デバイスの第２伝送バージョンを生成することができるように、前記アップリンクリソース割り当てメッセージが、前記端末デバイスのために確定した第２データ伝送リソースと第２データ伝送フォーマットとを指示するために用いられる。
【０１７１】
選択肢として、前記受信ユニット７１０は、具体的に、
端末より送信されたＮ個の前記第１スケジューリング構成メッセージを受信し、又は、
端末デバイスより送信された一つの前記第１スケジューリング構成メッセージを受信するように構成され、
ここで、Ｎ個の前記第１スケジューリング構成メッセージとＮ個の第１伝送バージョンとは、一対一に対応し、各前記第１スケジューリング構成メッセージが、対応する前記第１伝送バージョンの前記第１データ伝送フォーマットと前記第１データ伝送リソースとを指示するために用いられ、
ここで、一つの前記第１スケジューリング構成メッセージが、Ｎ個の前記第１伝送バージョンの前記第１データ伝送フォーマットと前記第１データ伝送リソースとを指示する。
【０１７２】
選択肢として、前記受信ユニット７１０は、具体的に、
制御リソースプールにより指示されるリソースにおいて、前記端末デバイスより送信された前記スケジューリング構成メッセージをブラインド検出し、又は、
前記端末デバイスのスケジューリング構成メッセージのための制御リソースにおいて、前記端末デバイスより送信された前記スケジューリング構成メッセージを受信するように構成される。
【０１７３】
なお、本発明の実施例によるネットワークデバイス７００は、本発明の実施例における方法２００−４００を実施するネットワークデバイスに対応することができ、ネットワークデバイス７００の各ユニットの上記動作及び/又は機能は、上記の方法実施例内のネットワークデバイスに対応する各フロー及び/又はステップを実施するために用いられ、重複を避けるために、ここで省略する。
【０１７４】
図１５は、本発明の実施例によるネットワークデバイス８００の概略的なブロック図である。図１５に示すように、当該ネットワークデバイス８００は、確定ユニット８１０、生成ユニット８２０、及び送信ユニット８３０を含み、ここで、
前記確定ユニット８１０は、ダウンリンクデータのＭ個の第１符号化バージョン内の各前記第１符号化バージョンに対応する第１データ伝送フォーマットと第１データ伝送リソースを確定するように構成され、ここで、前記Ｍが２以上の整数である。
【０１７５】
前記生成ユニット８２０は、各前記第１符号化バージョンに対応する前記第１データ伝送フォーマットを利用し、ダウンリンクデータに対して変調、符号化を行い、各前記第１符号化バージョンを得るように構成される。
【０１７６】
前記送信ユニット８３０は、各前記第１符号化バージョンに対応する前記第１データ伝送リソースにおいて、端末デバイスに各前記第１符号化バージョンを送信するように構成される。
【０１７７】
選択肢として、図１５に示すように、前記ネットワークデバイス８００は、受信ユニット８４０を含み、前記受信ユニット８４０は、端末デバイスの前記Ｍ個の符号化バージョンに対する否定フィードバックメッセージを受信するように構成される。
【０１７８】
前記確定ユニット８１０は、前記否定フィードバックメッセージに基づいて、第２データ伝送フォーマットと第２データ伝送リソースとを選択するようにさらに構成される。
【０１７９】
前記生成ユニット８２０は、前記第２データ伝送フォーマットに従って、前記ダウンリンクデータの第２伝送バージョンを生成するように構成される。
【０１８０】
前記送信ユニット８３０は、前記第２データ伝送リソースによって、前記第２伝送バージョンを送信するように構成される。
【０１８１】
なお、本発明の実施例によるネットワークデバイス８００は、本発明の実施例における方法５００を実施するネットワークデバイスに対応することができ、ネットワークデバイス８００の各ユニットの上記動作及び/又は機能は、上記の方法実施例内のネットワークデバイスに対応する各フロー及び/又はステップを実施するために用いられ、重複を避けるために、ここで省略する。
【０１８２】
図１６は、本発明の実施例による端末デバイス９００の概略的なブロック図である。図１６に示すように、当該端末デバイス９００は、確定ユニット９１０とデータ取得ユニット９２０とを含み、ここで、
前記確定ユニット９１０は、ネットワークデバイスより送信されたダウンリンクデータのＭ個の第１符号化バージョンに対応するＭ個分の第１データ伝送リソースとＭ個の第１データ伝送フォーマットとを確定するように構成され、ここで、前記Ｍが２以上の整数である。
【０１８３】
前記データ取得ユニット９２０は、Ｍ個分の第１データ伝送リソースとＭ個の第１データ伝送フォーマットとに基づいて、各前記第１符号化バージョンを受信して復調、復号するように構成される。
【０１８４】
選択肢として、前記データ取得ユニット９２０は、具体的に、各前記第１符号化バージョンに対して個別に復号を行い、又はＭ個の前記第１符号化バージョンに対して一括して復号を行うように構成される。
【０１８５】
選択肢として、図１６に示すように、前記端末デバイス９００は、送信ユニット９３０をさらに含み、ここで、
前記送信ユニット９３０は、
前記データ取得ユニット９２０で、各前記第１伝送バージョンに対して個別に復号を行い、且つＭ個の前記第１伝送バージョンに成功裏に復号した伝送バージョンが存在する場合、前記ネットワークデバイスに肯定確認ＡＣＫメッセージを送信し、また
前記データ取得ユニット９２０で各前記第１伝送バージョンに対して個別に復号を行い、且つ前記Ｍ個の伝送バージョンのいずれも成功裏に復号していない場合、前記ネットワークデバイスに否定確認ＮＡＣＫメッセージを送信するように構成され、ここで、前記ネットワークデバイスが復号に失敗した前記第１伝送バージョンを把握することができるように、前記ＮＡＣＫメッセージが、復号の失敗した第１伝送バージョンの情報を含む。
【０１８６】
選択肢として、図１６に示すように、前記端末デバイス９００は、送信ユニット９３０をさらに含み、ここで、
前記送信ユニット９３０は、
前記データ取得ユニット９２０でＮ個の前記第１符号化バージョンに対して一括に復号を行い、且つ前記一括的な復号が成功した場合、前記ネットワークデバイスに肯定確認ＡＣＫメッセージを送信し、又は
前記データ取得ユニット９２０でＭ個の前記第１符号化バージョンに対して一括して復号を行い、且つ前記一括的な復号に失敗した場合、前記ネットワークデバイスに否定確認ＮＡＣＫメッセージを送信するように構成され、ここで、前記ＮＡＣＫメッセージが、Ｎ個の前記第１伝送バージョンの情報を含む。
【０１８７】
なお、本発明の実施例による端末デバイス９００は、本発明の実施例における方法５００を実施する端末デバイスに対応することができ、端末デバイス９００の各ユニットの上記動作及び/又は機能は、上記の方法実施例内の端末デバイスに対応する各フロー及び/又はステップを実施するために用いられ、重複を避けるために、ここで省略する。
【０１８８】
図１７は、本発明の実施例による端末デバイス１０００の概略的なブロック図である。図１７に示すように、当該端末デバイス１０００は、プロセッサ１０１０、記憶装置１０２０、及び送受信装置１０３０を含む。選択肢として、当該端末デバイスは、プロセッサ１０１０、記憶装置１０２０、及び送受信装置１０３０を互いに接続するためのバスシステム１０４０をさらに含む。ここで、当該記憶装置１０２０は命令を記憶するように構成され、当該プロセッサ１０１０は、記憶装置１０２０の命令を呼び出して、
第１データ伝送フォーマットを確定することと、
データリソースプールから第１データ伝送リソースを選定することと、
ネットワークデバイスに第１スケジューリング構成メッセージを送信するように送受信装置１０３０を指示することと、
前記第１データ伝送フォーマットに基づいて、前記アップリンクデータに対して符号化変調を行って、前記第１伝送バージョンを生成することと、
前記ネットワークデバイスが前記第１スケジューリング構成メッセージに基づいて、前記第１伝送バージョンを受信して復調、復号することができるように、前記第１データ伝送リソースによって、ネットワークデバイスに前記第１伝送バージョンを送信するように送受信装置１０３０を指示することと、
を実行するように構成され、
前記第１データ伝送フォーマットが、アップリンクデータの第１伝送バージョンを生成するために用いられ、前記第１データ伝送リソースが、前記第１伝送バージョンを伝送するために用いられ、前記第１スケジューリング構成メッセージが、前記第１データ伝送リソースの情報と前記第１データ伝送フォーマットの情報とを含む。
【０１８９】
選択肢として、当該プロセッサ１０１０は、記憶装置１０２０の命令を呼び出して、
前記ネットワークデバイスにアップリンクリソーススケジューリング要求を送信するように送受信装置１０３０を指示することと、
送受信装置１０３０によって前記ネットワークデバイスより送信されたアップリンクリソース割り当て応答を受信した場合、前記アップリンクリソース割り当て応答に指示された第２データ伝送フォーマットと第２データ伝送リソースとに基づいて、前記アップリンクデータの第２伝送バージョンを生成して送信することと、
をさらに実行するように構成され、
前記アップリンクリソーススケジューリング要求が、前記アップリンクデータのためにアップリンクリソースを割り当てるように前記ネットワークデバイスに要求するために用いられ、ここで、前記リソーススケジューリング要求が前記第１伝送バージョンと関連する関係の情報を含み、又は、前記スケジューリング構成メッセージが、前記アップリンクデータのためにアップリンクリソースを割り当てるように前記ネットワークデバイスに要求するようにさらに用いられ、前記スケジューリング構成メッセージが、前記第１伝送バージョンと関連する関係の情報を含む。
【０１９０】
選択肢として、当該プロセッサ１０１０は、記憶装置１０２０の命令を呼び出して、
送受信装置１０３０で前記ネットワークデバイスが前記アップリンクデータの第１伝送バージョンに対して送信された否定確認ＮＡＣＫメッセージを受信した場合、第３データ伝送フォーマットを確定し、前記データリソースプールから第３データ伝送リソースを選定することと、
送受信装置１０３０で、前記ネットワークデバイスに第２スケジューリング構成メッセージを送信することと、
前記第３データ伝送フォーマットに基づいて、前記アップリンクデータに対して符号化変調を行って、前記第３伝送バージョンを生成することと、
前記受信側が前記第２スケジューリング構成メッセージに基づいて、前記第３伝送バージョンを受信して復調、復号することができるように、前記第３データ伝送リソースによって、送受信装置１０３０で前記第３伝送バージョンを送信することと、
をさらに実施するように構成され、
前記第３データ伝送フォーマットが前記アップリンクデータの第３伝送バージョンを生成するために用いられ、前記第３データ伝送リソースが前記第３伝送バージョンを伝送するために用いられ、
前記第２スケジューリング構成メッセージが、前記第３データ伝送リソースの情報と前記第３データ伝送フォーマットの情報とを含む。
【０１９１】
選択肢として、当該プロセッサ１０１０は、記憶装置１０２０の命令を呼び出して、
Ｎ個の前記第１伝送バージョン内の各バージョンを生成するために使用される前記第１データ伝送フォーマットを確立することと、
前記データリソースプールからＮ個分の前記第１データ伝送リソースを確定することと、
送受信装置１０３０で、ネットワークデバイスに前記第１スケジューリング構成情報を送信することと、
各バージョンを生成するために使用される前記第１データ伝送フォーマットに基づいて、各前記第１伝送バージョンを生成することと、
送受信装置１０３０で、Ｎ個分の前記第１データ伝送リソースによって、前記アップリンクデータのＮ個の第１伝送バージョンに対応するバージョンをそれぞれ送信することと、
をさらに実施するように構成され、
前記Ｎが２以上の整数であり、Ｎ個分の前記第１データ伝送リソースのうちの各個分の伝送リソースが、Ｎ個の前記第１伝送バージョン内の対応する伝送バージョンを転送するために用いられ、Ｎ個分の前記第１データ伝送リソースとＮ個の前記第１伝送バージョンとは一対一に対応し、前記第１スケジューリング構成メッセージが、Ｎ個の前記第１伝送バージョン内の各バージョンに対応する前記第１データ伝送リソースと前記第１データ伝送フォーマットとを含む。
【０１９２】
選択肢として、当該プロセッサ１０１０は、記憶装置１０２０の命令を呼び出して、
送受信装置１０３０で、ネットワークデバイスにＮ個の前記第１スケジューリング構成メッセージを送信すること、又は
送受信装置１０３０で、ネットワークデバイスに一つの第１スケジューリング構成メッセージを送信すること、
をさらに実施するように構成され、
ここで、Ｎ個の前記第１スケジューリング構成メッセージとＮ個の前記第１伝送バージョンとは一対一に対応し、各前記第１スケジューリング構成メッセージが、対応する前記第１伝送バージョンの前記第１データ伝送フォーマットと前記第１データ伝送リソースとを指示するために用いられ、
前記一つの前記第１スケジューリング構成メッセージが、Ｎ個の前記第１伝送バージョンの第１データ伝送フォーマットと第１データ伝送リソースとを指示するために用いられる。
【０１９３】
選択肢として、当該プロセッサ１０１０は、記憶装置１０２０の命令を呼び出して、
ネットワークデバイスにより前記第１スケジューリング構成メッセージのために設定された伝送リソースを利用し、送受信装置１０３０で前記ネットワークデバイスに前記第１スケジューリング構成メッセージを送信すること、又は
制御リソースプールから制御伝送リソースを選択し、送受信装置１０３０で、前記制御伝送リソースによって、前記ネットワークデバイスに前記第１スケジューリング構成メッセージを送信すること、
をさらに実施するように構成される。
【０１９４】
選択肢として、当該プロセッサ１０１０は、記憶装置１０２０の命令を呼び出して、
送受信装置１０３０で、前記ネットワークデバイスより送信されたリソースプール構成情報を受信すること、
をさらに実施するように構成され、前記リソースプール情報が、データリソースプールの構成情報と制御リソースプールの構成情報とを含み、ここで、前記データリソースプールが、前記第１伝送バージョンを伝送するための選択可能なアップリンクリソースを含み、また前記制御リソースプールが、前記スケジューリング構成メッセージを伝送するための選択可能なアップリンクリソースを含む。
【０１９５】
なお、本発明の実施例による端末デバイス１０００は、本発明の実施例における方法２００−４００を実施する端末デバイスに対応することができ、端末デバイス１０００の各ユニットの上記動作及び/又は機能は、上記の方法実施例内の端末デバイスに対応する各フロー及び/又はステップを実施するために用いられ、重複を避けるために、ここで省略する。
【０１９６】
図１８は、本発明の実施例によるネットワークデバイス１１００の概略的なブロック図である。図１８に示すように、当該ネットワークデバイス１１００は、プロセッサ１１１０、記憶装置１１２０、及び送受信装置１１３０を含む。選択肢として、当該ネットワークデバイスは、プロセッサ１１１０、記憶装置１１２０、及び送受信装置１１３０を互いに接続するためのバスシステム１１４０をさらに含む。ここで、当該記憶装置１１２０は命令を記憶するように構成され、当該プロセッサ１１１０は、記憶装置１１２０の命令を呼び出して、
送受信装置１１３０で、端末デバイスより送信されたスケジューリング構成メッセージを受信することと、
前記第１データ伝送フォーマットと前記第１データ伝送リソースとに基づいて、前記アップリンクデータの前記第１伝送バージョンを受信して復調、復号することと、
を実行するように構成され、
前記スケジューリング構成メッセージが、前記端末デバイスより送信されたアップリンクデータの第１伝送バージョンに対応する第１データ伝送フォーマットと第１データ伝送リソースとを指示するために用いられる。
【０１９７】
選択肢として、当該プロセッサ１１１０は、記憶装置１１２０の命令を呼び出し、
前記端末デバイスのためにデータリソースプールを設定することと、
前記端末デバイスのために制御リソースプールを設定することと、をさらに実行するように構成され、
前記データリソースプールが、前記第１伝送バージョンを伝送するための前記端末デバイスが選択可能なアップリンクリソースを含み、前記制御リソースプールが、前記スケジューリング構成メッセージを伝送するための前記端末デバイスが選択可能なアップリンクリソース、又は前記端末デバイスのために設定された、前記スケジューリング構成メッセージを伝送するためのアップリンクリソースを含む。
【０１９８】
選択肢として、当該プロセッサ１１１０は、記憶装置１１２０の命令を呼び出し、
送受信装置１１３０で、前記端末デバイスより送信されたアップリンクリソーススケジューリング要求を受信することと、
送受信装置１１３０で、前記第１伝送バージョンが受信されない場合、又は前記第１伝送バージョンに対する復調又は復号に失敗した場合、前記アップリンクデータのために第２データ伝送リソースを割り当て、第２データ伝送フォーマットを確定することと、
送受信装置１１３０で、前記端末デバイスにアップリンクリソース割り当て応答を送信することと、
をさらに実行するように構成され、
前記アップリンクリソーススケジューリング要求が、前記アップリンクデータのためにアップリンクリソースを割り当てるように前記ネットワークデバイスに要求するために用いられ、ここで、前記リソーススケジューリング要求が前記第１伝送バージョンと関連する関係の情報を含み、又は、前記スケジューリング構成メッセージが、前記アップリンクデータのためにアップリンクリソースを割り当てるように前記ネットワークデバイスに要求するようにさらに用いられ、前記スケジューリング構成メッセージが、前記第１伝送バージョンと関連する関係の情報を含み、
前記端末デバイスが、前記第２データ伝送リソースと前記第２データ伝送フォーマットとに基づいて、前記端末デバイスの第２伝送バージョンを生成することができるように、前記アップリンクリソース割り当て応答が、前記第２データ伝送リソースと前記第２データ伝送フォーマットとを指示するために用いられる。
【０１９９】
選択肢として、当該プロセッサ１１１０は、記憶装置１１２０の命令を呼び出し、
前記アップリンクデータの前記第１伝送バージョンに対する復号が成功した場合、送受信装置１１３０で、前記端末デバイスに肯定確認ＡＣＫメッセージを送信し、前記アップリンクリソーススケジューリング要求を無視すること、
をさらに実行するように構成される。
【０２００】
選択肢として、当該プロセッサ１１１０は、記憶装置１１２０の命令を呼び出し、
送受信装置１１３０で、前記第１伝送バージョンが受信されない場合、又は前記第１伝送バージョンに対する復調又は復号に失敗した場合、送受信装置１１３０で、端末デバイスに否定確認ＮＡＣＫ情報を送信すること、
をさらに実行するように構成される。
【０２０１】
選択肢として、前記第１スケジューリング構成メッセージが、前記端末デバイスより送信されたアップリンクデータのＮ個の第１伝送バージョン内の各バージョンに対応する前記第１データ伝送フォーマットと前記第１データ伝送リソースとを指示するために用いられ、前記Ｎが２以上の整数である。
【０２０２】
選択肢として、当該プロセッサ１１１０は、記憶装置１１２０の命令を呼び出し、
Ｎ個の第１伝送バージョン内の各バージョンに対応する前記第１データ伝送フォーマットと前記第１データ伝送リソースとに基づいて、Ｎ個の前記第１伝送バージョンを受信して復調、復号すること、
をさらに実行するように構成される。
【０２０３】
選択肢として、当該プロセッサ１１１０は、記憶装置１１２０の命令を呼び出し、
各前記第１伝送バージョンに対して個別に復号を行い、又は、Ｎ個の前記第１伝送バージョンに対して一括して復号を行うこと、
をさらに実行するように構成される。
【０２０４】
選択肢として、当該プロセッサ１１１０は、記憶装置１１２０の命令を呼び出し、
各前記第１伝送バージョンに対して個別に復号を行い、且つＮ個の前記第１伝送バージョンに、成功裏に復号された伝送バージョンが存在する場合、前記端末デバイスに肯定確認ＡＣＫメッセージを送信することと、
各前記第１伝送バージョンに対して個別に復号を行い、且つＮ個の前記第１伝送バージョンがいずれも成功裏に復号していない場合、前記端末デバイスに、否定確認ＮＡＣＫメッセージ又はアップリンクリソース割り当てメッセージを送信することと、
をさらに実行するように構成され、
前記端末デバイスが、復号の失敗した前記第１伝送バージョンを把握することができるように、前記ＮＡＣＫメッセージが、復号の失敗した第１伝送バージョンの情報を含み、前記端末デバイスが、前記第２データ伝送リソースと前記第２データ伝送フォーマットとに基づいて、前記端末デバイスの第２伝送バージョンを生成することができるように、前記アップリンクリソース割り当てメッセージが、前記端末デバイスのために確定した第２データ伝送リソースと第２データ伝送フォーマットとを指示するために用いられる。
【０２０５】
選択肢として、当該プロセッサ１１１０は、記憶装置１１２０の命令を呼び出し、
Ｎ個の前記第１符号化バージョンに対して一括に復号を行い、且つ前記一括的な復号が成功した場合、前記端末デバイスに肯定確認ＡＣＫメッセージを送信すること、又は
Ｎ個の前記第１符号化バージョンに対して一括に復号を行い、且つ前記一括的な復号に失敗した場合、前記端末デバイスにＮＡＣＫメッセージ又はアップリンクリソース割り当てメッセージを送信すること、
をさらに実行するように構成され、
前記端末デバイスが、復号の失敗した前記第１伝送バージョンを把握することができるように、前記ＮＡＣＫメッセージが、復号の失敗した第１伝送バージョンの情報を含み、前記端末デバイスが、前記第２データ伝送リソースと前記第２データ伝送フォーマットとに基づいて、前記端末デバイスの第２伝送バージョンを生成することができるように、前記アップリンクリソース割り当てメッセージが、前記端末デバイスのために確定した第２データ伝送リソースと第２データ伝送フォーマットとを指示するために用いられる。
【０２０６】
選択肢として、当該プロセッサ１１１０は、記憶装置１１２０の命令を呼び出し、
送受信装置１１３０で、端末デバイスより送信されたＮ個の前記第１スケジューリング構成メッセージを受信することと、又は、
送受信装置１１３０で、端末デバイスより送信された一つの前記第１スケジューリング構成メッセージを受信することと、
をさらに実行するように構成され、
ここで、Ｎ個の前記第１スケジューリング構成メッセージとＮ個の第１伝送バージョンとは、一対一に対応し、各前記第１スケジューリング構成メッセージが、対応する前記第１伝送バージョンの前記第１データ伝送フォーマットと前記第１データ伝送リソースとを指示するために用いられ、
一つの前記第１スケジューリング構成メッセージが、Ｎ個の前記第１伝送バージョンの前記第１データ伝送フォーマットと前記第１データ伝送リソースとを指示する。
【０２０７】
選択肢として、当該プロセッサ１１１０は、記憶装置１１２０の命令を呼び出し、
制御リソースプールにより指示されるリソースにおいて、送受信装置１１３０で、前記端末デバイスより送信された前記スケジューリング構成メッセージをブラインド検出すること、又は、
前記端末デバイスのスケジューリング構成メッセージのための制御リソースにおいて、送受信装置１１３０で、前記端末デバイスより送信された前記スケジューリング構成メッセージを受信すること、
をさらに実行するように構成される。
【０２０８】
なお、本発明の実施例によるネットワークデバイス１１００は、本発明の実施例における方法２００−４００を実施するネットワークデバイスに対応することができ、ネットワークデバイス１１００の各ユニットの上記動作及び/又は機能は、上記の方法実施例内のネットワークデバイスに対応する各フロー及び/又はステップを実施するために用いられ、重複を避けるために、ここで省略する。
【０２０９】
図１９は、本発明の実施例によるネットワークデバイス１２００の概略的なブロック図である。図１９に示すように、当該ネットワークデバイス１２００は、プロセッサ１２１０、記憶装置１２２０、及び送受信装置１２３０を含む。選択肢として、当該ネットワークデバイスは、プロセッサ１２１０、記憶装置１２２０、及び送受信装置１２３０を互いに接続するためのバスシステム１２４０をさらに含む。ここで、当該記憶装置１２２０は命令を記憶するように構成され、当該プロセッサ１２１０は、記憶装置１２２０の命令を呼び出し、
ダウンリンクデータのＭ個の第１符号化バージョン内の各前記第１符号化バージョンに対応する第１データ伝送フォーマットと第１データ伝送リソースを確定することと、
各前記第１符号化バージョンに対応する前記第１データ伝送フォーマットを利用し、ダウンリンクデータに対して変調、符号化を行い、各前記第１符号化バージョンを得ることと、
各前記第１符号化バージョンに対応する前記第１データ伝送リソースにおいて、送受信装置１２３０で、端末デバイスに各前記第１符号化バージョンを送信することと、
を実行するように構成され、ここで、前記Ｍが２以上の整数である。
【０２１０】
選択肢として、当該プロセッサ１２１０は、記憶装置１２２０の命令を呼び出し、
送受信装置１２３０で、端末デバイスの前記Ｍ個の符号化バージョンに対する否定フィードバックメッセージを受信することと、
前記否定フィードバックメッセージに基づいて、第２データ伝送フォーマットと第２データ伝送リソースとを選択し、前記第２データ伝送フォーマットと前記第２データ伝送リソースとに従って、前記ダウンリンクデータの第２伝送バージョンを生成し、送受信装置１２３０で送信することと、
を実行するようにさらに構成される。
【０２１１】
なお、本発明の実施例によるネットワークデバイス１２００は、本発明の実施例における方法５００を実施するネットワークデバイスに対応することができ、ネットワークデバイス１２００の各ユニットの上記動作及び/又は機能は、上記の方法実施例内のネットワークデバイスに対応する各フロー及び/又はステップを実施するために用いられ、重複を避けるために、ここで省略する。
【０２１２】
図２０は、本発明の実施例による端末デバイス１３００の概略的なブロック図である。図２０に示すように、当該端末デバイス１３００は、プロセッサ１３１０、記憶装置１３２０、及び送受信装置１３３０を含む。選択肢として、当該端末デバイスは、プロセッサ１３１０、記憶装置１３２０、及び送受信装置１３３０を互いに接続するためのバスシステム１３４０をさらに含む。ここで、当該記憶装置１３２０は命令を記憶するように構成され、当該プロセッサ１３１０は、記憶装置１３２０の命令を呼び出し、
ネットワークデバイスより送信されたダウンリンクデータのＭ個の第１符号化バージョンに対応するＭ個分の第１データ伝送リソースとＭ個の第１データ伝送フォーマットとを確定することと、
Ｍ個分の第１データ伝送リソースとＭ個の第１データ伝送フォーマットとに基づいて、送受信装置１３３０で、各前記第１符号化バージョンを受信して復調、復号することと、
を実行するように構成され、ここで、前記Ｍが２以上の整数である。
【０２１３】
選択肢として、当該プロセッサ１３１０は、記憶装置１３２０の命令を呼び出し、
各前記第１符号化バージョンに対して個別に復号を行い、又はＭ個の前記第１符号化バージョンに対して一括して復号を行うこと、
をさらに実行するように構成される。
【０２１４】
選択肢として、当該プロセッサ１３１０は、記憶装置１３２０の命令を呼び出し、
各前記第１伝送バージョンに対して個別に復号を行い、且つＭ個の前記第１伝送バージョンに成功裏に復号した伝送バージョンが存在する場合、送受信装置１３３０で、前記ネットワークデバイスに肯定確認ＡＣＫメッセージを送信することと、
各前記第１伝送バージョンに対して個別に復号を行い、且つ前記Ｍ個の伝送バージョンのいずれも成功裏に復号していない場合、送受信装置１３３０で、前記ネットワークデバイスに否定確認ＮＡＣＫメッセージを送信すること、
をさらに実行するように構成され、
ここで、前記ネットワークデバイスが復号に失敗した前記第１伝送バージョンを把握することができるように、前記ＮＡＣＫメッセージが、復号の失敗した第１伝送バージョンの情報を含む。
【０２１５】
選択肢として、当該プロセッサ１３１０は、記憶装置１３２０の命令を呼び出し、
Ｎ個の前記第１符号化バージョンに対して一括に復号を行い、且つ前記一括的な復号が成功した場合、送受信装置１３３０で、前記ネットワークデバイスに肯定確認ＡＣＫメッセージを送信すること、又は
Ｍ個の前記第１符号化バージョンに対して一括して復号を行い、且つ前記一括的な復号に失敗した場合、送受信装置１３３０で、前記ネットワークデバイスに否定確認ＮＡＣＫメッセージを送信することと、
をさらに実行するように構成され、ここで、前記ＮＡＣＫメッセージが、Ｎ個の前記第１伝送バージョンの情報を含む。
【０２１６】
なお、本発明の実施例による端末デバイス１３００は、本発明の実施例における方法５００を実施する端末デバイスに対応することができ、端末デバイス１３００の各ユニットの上記動作及び/又は機能は、上記の方法実施例内の端末デバイスに対応する各フロー及び/又はステップを実施するために用いられ、重複を避けるために、ここで省略する。
【０２１７】
本願に開示されている実施例に説明されている各例示的なユニット及びアルゴリズムのステップを結合し、電子ハードウェア、又はコンピュータソフトウェアと電子ハードウェアの結合を用いて実現することができると、当業者であれば理解できる。これらの機能がハードウェアの形式かそれともソフトウェアの形式で実施するかについては、技術案の特定応用と設計制約によるものである。当業者は、各特定応用に応じて異なる方法を用いて、説明されている機能を実現することができるが、このような実現は本発明の範囲を超えていると見なすべきではない。
【０２１８】
当業者は、説明の便利と簡潔上、上記に記載されているシステム、装置及びユニットの具体的な動作については、上記の方法実施例の対応されているフローを参照することができ、ここでそれ以上述べない。
【０２１９】
本願に提供されている幾つかの実施例において、開示されているシステム、装置及び方法は、その他の方式で実現されても良い。例えば、上記に記載されている装置の実施例は単なる例示的なものに過ぎず、例えば、前記ユニットの分け方が、単なるロジック的な機能分けであり、実際、実現する時に他の分け方があっても良く、例えば、複数のユニット又はコンポーネントを別のシステムへ統合、又は集成しても良く、又は幾つかの技術特徴を省略、又は実施しなくても良い。また、明示され、又は議論されている各構成部分の互い的なカップリング、又は直接のカップリング、又は通信接続は、幾つかのインターフェース、装置、又はユニットの間接のカップリング又は通信によって接続されても良く、電気的、機械的、又はその他の形式であっても良い。
【０２２０】
上記で分離コンポーネントとして説明したユニットは、物理的に分離されるものであっても良く、そうではないものであっても良い。ユニットとして示されるコンポーネントは物理ユニットであっても良く、そうではないものであっても良い。一箇所に配置されても良く、複数のネットワークユニットに配布しても良い。実際のニーズに応じて、その中の一部又は全部のユニットを選択して本実施例の技術案の目的を実現しても良い。
【０２２１】
また、本発明の各実施例における各機能ユニットは、一つの処理ユニットに統合しても良く、各ユニットはそれぞれ単独なユニットとしても良く、二つ又は二つ以上のユニットを一つのユニットに統合しても良い。
【０２２２】
前記機能は、ソフトウェア機能ユニットの方式で実現し、しかも独立な製品として販売又は使用する場合、コンピュータ読み取り可能の記憶媒体に記憶しても良い。これによって、本発明の技術案が事実上、言い換えれば先行技術に貢献した部分がソフトウェア製品の形で具現でき、該コンピュータソフトウェア製品は記憶媒体に記憶され、コンピュータ装置（パソコン、サーバ、またはネットワーク装置などであっても良い）に本発明の各実施例の全部または一部の前記方法を実行させための複数の命令を含む。上記の記憶媒体は、ＵＳＢメモリ、移動記憶媒体、読み取り専用メモリ（ＲＯＭ：Ｒｅａｄ−Ｏｎｌｙ  Ｍｅｍｏｒｙ）、ランダムアクセス記憶装置（ＲＡＭ：Ｒａｎｄｏｍ  Ａｃｃｅｓｓ  Ｍｅｍｏｒｙ）、磁気ディスク又はコンパクトディスクなどの各種のプログラムコードが記憶できる媒体を含む。
【０２２３】
上記に記載されているのは、単なる本発明の具体的な実施形態に過ぎず、本発明はそれに限らず、当業者が本発明に開示されている範囲内において、容易に想到し得る変形又は入れ替えは、全て本発明の範囲内に含まれるべきである。そのため、本発明の範囲は、記載されている特許請求の範囲に準じるべきである。
【図１】
2020167683.tif 000003
【図２】
2020167683.tif 000004
【図３】
2020167683.tif 000005
【図４】
2020167683.tif 000006
【図５】
2020167683.tif 000007
【図６】
2020167683.tif 000008
【図７】
2020167683.tif 000009
【図８】
2020167683.tif 000010
【図９】
2020167683.tif 000011
【図１０】
2020167683.tif 000012
【図１１】
2020167683.tif 000013
【図１２】
2020167683.tif 000014
【図１３】
2020167683.tif 000015
【図１４】
2020167683.tif 000016
【図１５】
2020167683.tif 000017
【図１６】
2020167683.tif 000018
【図１７】
2020167683.tif 000019
【図１８】
2020167683.tif 000020
【図１９】
2020167683.tif 000021
【図２０】
2020167683.tif 000022